(57)【要約】  表示制御装置（２）は、フレーム画像を表示部（４）に表示する際のフレームレートを決定フレームレートとして決定する決定部（１０）と、決定フレームレートが現行フレームレートと異なる場合に、現行フレームレートを決定フレームレートに変換する変換部（１５）と、を備える。決定部（１０）は、ＯＳＤ画像に関する情報に基づき、決定フレームレートを現行フレームレートと同じフレームレートとするか現行フレームレートより高いフレームレートとするかを決定し、決定フレームレートを現行フレームレートより高いフレームレートとすると決定する場合に、現在表示されているフレーム画像のＫ（Ｋは１以上かつ１０以下の整数）フレーム後のフレーム画像から決定フレームレートで表示部（４）に表示されるように、フレームレートを決定フレームレートに決定する。
2013175735.tif 000002
【特許請求の範囲】
【請求項１】
入力画像信号に基づく入力画像とオンスクリーン表示するためのＯＳＤ画像とを含むフレーム画像を表示する表示部における前記フレーム画像の表示を制御する表示制御装置であって、
前記フレーム画像を前記表示部に表示する際のフレームレートを決定フレームレートとして決定する決定部と、
前記決定フレームレートが現行フレームレートと異なる場合に、現行フレームレートを前記決定フレームレートに変換する変換部と、
を備え、
前記決定部は、ＯＳＤ画像に関する情報を取得し、取得した前記ＯＳＤ画像に関する情報に基づき、前記決定フレームレートを現行フレームレートと同じフレームレートとするか現行フレームレートより高いフレームレートとするかを決定し、前記決定フレームレートを現行フレームレートより高いフレームレートとすると決定する場合に、前記表示部に現在表示されているフレーム画像のＫ（Ｋは１以上かつ１０以下の整数）フレーム後のフレーム画像から前記決定フレームレートで前記表示部に表示されるように、フレームレートを前記決定フレームレートに決定することを特徴とする表示制御装置。
【請求項２】
前記ＯＳＤ画像に関する情報は、ＯＳＤ画像を表示する際のフレームレートであるＯＳＤフレームレートの情報を含み、
前記決定部は、前記ＯＳＤ画像に関する情報が、ＯＳＤフレームレートは現行フレームレートより高い値である旨の情報を含む場合に、前記決定フレームレートをＯＳＤフレームレートのＮ倍（Ｎは１以上の整数）のフレームレートとすると決定することを特徴とする請求項１記載の表示制御装置。
【請求項３】
前記決定部は、前記ＯＳＤ画像に関する情報が、ＯＳＤフレームレートは現行フレームレート以下の値である旨の情報を含む場合に、前記決定フレームレートを現行フレームレートと同じフレームレートとすると決定することを特徴とする請求項２記載の表示制御装置。
【請求項４】
前記ＯＳＤ画像に関する情報は、さらに、ＯＳＤ画像が動く画像であるか否かを表す情報を含み、
前記決定部は、前記ＯＳＤ画像に関する情報が、ＯＳＤフレームレートは現行フレームレートより高い値である旨の情報を含み、かつ、ＯＳＤ画像は動く画像であることを表す情報を含む場合に、前記決定フレームレートをＯＳＤフレームレートのＮ倍（Ｎは１以上の整数）のフレームレートとすると決定することを特徴とする請求項２または３記載の表示制御装置。
【請求項５】
前記決定部は、前記ＯＳＤ画像に関する情報が、ＯＳＤ画像は動く画像でないことを表す情報を含む場合に、ＯＳＤフレームレートの高低にかかわらず、前記決定フレームレートを現行フレームレートと同じフレームレートとすると決定することを特徴とする請求項４記載の表示制御装置。
【請求項６】
前記ＯＳＤ画像に関する情報は、前記表示部におけるＯＳＤ画像の表示領域を表すＯＳＤ信号を含み、
前記決定部は、前記ＯＳＤ信号に基づきＯＳＤ画像が動く画像であるか否かを判定するＯＳＤ画像判定部を含み、
前記決定部は、ＯＳＤ画像が動く画像でないと前記ＯＳＤ画像判定部が判定した場合に、前記決定フレームレートを現行フレームレートと同じフレームレートとすると決定することを特徴とする請求項１ないし３のいずれか１項に記載の表示制御装置。
【請求項７】
前記表示部を観察する観察者を撮影する撮影部をさらに備え、
前記決定部は、前記撮影部の撮影結果に基づき、観察者に関する情報を判定する撮影情報判定部を含み、
前記撮影情報判定部は、観察者に関する情報として、観察者が前記表示部を見ていない時間が継続して所定時間以上であるか否か、または、観察者が前記表示部から所定距離以上離れているか否かを判定し、
前記決定部は、観察者が前記表示部を見ていない時間が継続して所定時間以上であると前記撮影情報判定部が判定した場合に、または、観察者が前記表示部から所定距離以上離れていると前記撮影情報判定部が判定した場合に、前記ＯＳＤ画像に関する情報にかかわらず、前記決定フレームレートを現行フレームレートと同じフレームレートとすると決定することを特徴とする請求項１ないし６のいずれか１項に記載の表示制御装置。
【請求項８】
装置の各部に電力を供給する電池をさらに備え、
前記決定部は、前記電池の残量を判定する残量判定部を含み、
前記決定部は、前記電池の残量が所定値以下であると前記残量判定部が判定した場合に、前記ＯＳＤ画像に関する情報にかかわらず、前記決定フレームレートを現行フレームレートと同じフレームレートとすると決定することを特徴とする請求項１ないし７のいずれか１項に記載の表示制御装置。
【請求項９】
入力画像信号に基づく入力画像とオンスクリーン表示するためのＯＳＤ画像とを含むフレーム画像を表示する表示部における前記フレーム画像の表示を制御する表示制御方法であって、
前記フレーム画像を前記表示部に表示する際のフレームレートを決定フレームレートとして決定する第１ステップと、
前記決定フレームレートが現行フレームレートと異なる場合に、現行フレームレートを前記決定フレームレートに変換する第２ステップと、
を備え、
前記第１ステップは、
ＯＳＤ画像に関する情報を取得する取得ステップと、
取得された前記ＯＳＤ画像に関する情報に基づき、前記決定フレームレートを現行フレームレートと同じフレームレートとするか現行フレームレートより高いフレームレートとするかを決定する決定ステップと、
を含み、
前記第１ステップでは、前記決定ステップにおいて前記決定フレームレートを現行フレームレートより高いフレームレートとすると決定される場合に、前記表示部に現在表示されているフレーム画像のＫ（Ｋは１以上かつ１０以下の整数）フレーム後のフレーム画像から前記決定フレームレートで前記表示部に表示されるように、フレームレートが前記決定フレームレートに決定されることを特徴とする表示制御方法。
【発明の詳細な説明】
【技術分野】
【０００１】
本発明は、フレーム画像を表示する表示部における表示を制御する表示制御装置及び表示制御方法に関するものである。
【背景技術】
【０００２】
フレーム画像を表示する表示部を備えた表示装置は、例えば外部からの入力画像信号に基づき、表示部に表示するフレーム画像を次々と切り替えて、滑らかな画像を表示部に表示している。フレーム画像を切り替える周波数は、フレームレートと称され、一般に６０Ｈｚが用いられている。従来、入力画像信号が、静止画を表す信号か動画を表す信号かを検出し、検出結果に応じてフレームレートを切り替える表示装置が知られている（例えば特許文献１参照）。【０００３】
この特許文献１に記載の装置では、入力画像信号が静止画を表すときは、フレームレートを低下させて、表示時の消費電力を低減させている。ここで、入力画像信号が静止画と動画との間で切り替わり、フレームレートを上昇又は低下させるときは、所定の時定数を持たせ、フレームレートを急激に変化させないようにしている。これによって、画像の表示品位の低下を防止している。【０００４】
上記特許文献１に記載の装置では、さらに、入力画像信号に基づき表示部に表示される入力画像に、メニュー画像などを重ねて表示するオンスクリーン表示を行うことが開示されている。しかしながら、フレームレートを低下させているときに、動く画像がオンスクリーン表示されて、フレームレートを徐々に上昇させると、オンスクリーン表示される画像が滑らかに動かずに飛び飛びに動き、オンスクリーン表示される画像の表示品位が低下する。
【先行技術文献】
【特許文献】
【０００５】
【特許文献１】特開２００３−２８０５７８号公報
【発明の概要】
【０００６】
本発明は、上述した課題を解決するためになされたもので、オンスクリーン表示される画像の表示品位低下を抑制することが可能な表示制御装置及び表示制御方法を提供することを目的とする。
【０００７】
本発明の一局面に係る表示制御装置は、入力画像信号に基づく入力画像とオンスクリーン表示するためのＯＳＤ画像とを含むフレーム画像を表示する表示部における前記フレーム画像の表示を制御する表示制御装置であって、前記フレーム画像を前記表示部に表示する際のフレームレートを決定フレームレートとして決定する決定部と、前記決定フレームレートが現行フレームレートと異なる場合に、現行フレームレートを前記決定フレームレートに変換する変換部と、を備え、前記決定部は、ＯＳＤ画像に関する情報を取得し、取得した前記ＯＳＤ画像に関する情報に基づき、前記決定フレームレートを現行フレームレートと同じフレームレートとするか現行フレームレートより高いフレームレートとするかを決定し、前記決定フレームレートを現行フレームレートより高いフレームレートとすると決定する場合に、前記表示部に現在表示されているフレーム画像のＫ（Ｋは１以上かつ１０以下の整数）フレーム後のフレーム画像から前記決定フレームレートで前記表示部に表示されるように、フレームレートを前記決定フレームレートに決定する。
【０００８】
本発明の一局面に係る表示制御方法は、入力画像信号に基づく入力画像とオンスクリーン表示するためのＯＳＤ画像とを含むフレーム画像を表示する表示部における前記フレーム画像の表示を制御する表示制御方法であって、前記フレーム画像を前記表示部に表示する際のフレームレートを決定フレームレートとして決定する第１ステップと、前記決定フレームレートが現行フレームレートと異なる場合に、現行フレームレートを前記決定フレームレートに変換する第２ステップと、を備え、前記第１ステップは、ＯＳＤ画像に関する情報を取得する取得ステップと、取得された前記ＯＳＤ画像に関する情報に基づき、前記決定フレームレートを現行フレームレートと同じフレームレートとするか現行フレームレートより高いフレームレートとするかを決定する決定ステップと、を含み、前記第１ステップでは、前記決定ステップにおいて前記決定フレームレートを現行フレームレートより高いフレームレートとすると決定される場合に、前記表示部に現在表示されているフレーム画像のＫ（Ｋは１以上かつ１０以下の整数）フレーム後のフレーム画像から前記決定フレームレートで前記表示部に表示されるように、フレームレートが前記決定フレームレートに決定される。
【０００９】
本発明によれば、ＯＳＤ画像に関する情報に基づき、決定フレームレートを現行フレームレートと同じフレームレートとするか現行フレームレートより高いフレームレートとするかが決定されるため、決定フレームレートをＯＳＤ画像に適切なフレームレートに決定することができる。決定フレームレートを現行フレームレートより高いフレームレートとすると決定された場合に、表示部に現在表示されているフレーム画像のＫ（Ｋは１以上かつ１０以下の整数）フレーム後のフレーム画像から決定フレームレートで表示されるように、フレームレートが決定フレームレートに決定されるため、ＯＳＤ画像に適切な決定フレームレートで、Ｋフレーム後のフレーム画像からＯＳＤ画像が表示部にオンスクリーン表示される。その結果、ＯＳＤ画像の表示品位の低下を抑制することができる。
【図面の簡単な説明】
【００１０】
【図１】表示制御装置の第１実施形態が含まれる表示装置の構成と、オンスクリーン表示部の構成とを示すブロック図である。
【図２】（ａ）〜（ｄ）は、液晶パネルに表示されるフレーム画像の一例を概略的に示す図である。
【図３】図２（ａ）〜（ｄ）のフレーム画像が表示されているときの駆動周波数を概略的に示すタイミングチャートである。
【図４】（ａ）〜（ｅ）は、本実施形態において、静止画が表示されている液晶パネルに、ＯＳＤ画像がスライドして徐々にオンスクリーン表示される状態を順番に示す概略図である。
【図５】（ａ）〜（ｃ）は、フレームレートが徐々に上昇する比較例において、静止画が表示されている液晶パネルに、ＯＳＤ画像がスライドして徐々にオンスクリーン表示される状態を順番に示す概略図である。
【図６】表示制御装置の第２実施形態が含まれる表示装置の構成と、ＯＳＤ部の構成とを示すブロック図である。
【図７】表示制御装置の第３実施形態が含まれる表示装置の構成と、ＯＳＤ部の構成とを示すブロック図である。
【図８】表示制御装置の第４実施形態が含まれる表示装置の構成と、ＯＳＤ部の構成とを示すブロック図である。
【図９】表示制御装置の第５実施形態が含まれる表示装置の構成を示すブロック図である。
【図１０】表示制御装置の第６実施形態が含まれる表示装置の構成と、ＯＳＤ部の構成とを示すブロック図である。
【図１１】第６実施形態において、図２（ａ）〜（ｄ）のフレーム画像が表示されているときの駆動周波数を概略的に示すタイミングチャートである。
【発明を実施するための形態】
【００１１】
（第１実施形態）
図１は、表示制御装置の第１実施形態が含まれる表示装置の構成と、オンスクリーン表示部（ＯＳＤ部）の構成とを示すブロック図である。図１に示される表示装置１は、表示制御装置の第１実施形態である変換処理部２と、駆動処理部３と、液晶パネル（表示部）４とを備える。また、図１に示されるＯＳＤ部５は、オンスクリーン表示（ＯＳＤ）画像生成部２１と、オンスクリーン表示（ＯＳＤ）合成部２２とを備える。
【００１２】
液晶パネル４は、図示を省略しているが、水平方向に延びる複数のゲート線、垂直方向に延びる複数のソース線、複数のスイッチング素子及び複数の画素を備え、複数のソース線及び複数のゲート線の交点にマトリクス状にスイッチング素子及び画素が配置され、水平方向の１ラインの画素から１走査ラインが構成される。
【００１３】
複数のソース線には駆動処理部３から各画素に対応する駆動信号が供給され、複数のゲート線には駆動処理部３から走査信号となるゲートパルスが供給され、各画素に対応する液晶層に信号電圧が与えられることにより、各画素の透過率が制御される。これによって、液晶パネル４に入力画像信号に基づく入力画像が表示される。液晶パネル４としては、ＩＰＳ（Ｉｎ  Ｐｌａｎｅ  Ｓｗｉｔｃｈｉｎｇ）方式、ＶＡ（Ｖｅｒｔｉｃａｌ  Ａｌｉｇｎｍｅｎｔ）方式、その他のいずれの方式を適用してもよい。
【００１４】
ＯＳＤ画像生成部２１は、液晶パネル４にオンスクリーン表示するオンスクリーン表示（ＯＳＤ）画像２４（図２（ｃ））を所定のフレームレート（この実施形態では６０Ｈｚ）で生成する。ＯＳＤ画像２４は、例えばメニュー画像である。ＯＳＤ合成部２２は、ＯＳＤ画像生成部２１により生成されたＯＳＤ画像２４を、外部からの入力画像信号に合成する。画像信号は、フレームごとに生成されるフレーム画像を表す。画像信号は、本実施形態では、６０Ｈｚのフレームレートで入力される。
【００１５】
ＯＳＤ合成部２２は、ＯＳＤ画像２４の液晶パネル４における表示領域を示すＹＳ信号を生成する。ＹＳ信号は、例えば、液晶パネル４の各画素のうち、ＯＳＤ画像２４を表示する画素を「１」とし、ＯＳＤ画像２４を表示しない画素を「０」として、ＯＳＤ画像２４を表示するか否かを、液晶パネル４の画素ごとに示す信号である。ＯＳＤ合成部２２は、合成した入力画像信号及びＯＳＤ画像信号と、生成したＹＳ信号とを表示装置１の変換処理部２に出力する。
【００１６】
変換処理部２は、フレームレート決定部１０及びフレームレート変換部１５を含む。フレームレート決定部１０は、オンスクリーン表示（ＯＳＤ）画像判定部１１、入力フレームレート判定部１２、静止画判定部１３、駆動周波数決定部１４を含む。
【００１７】
ＯＳＤ画像判定部１１は、ＯＳＤ合成部２２から入力されるＹＳ信号に基づき、ＯＳＤ画像２４が動く画像であるか否かを判定する。ＯＳＤ画像判定部１１は、例えば異なるフレーム間でＹＳ信号を比較して、ＹＳ信号の「１」を示す画素が移動していれば、ＯＳＤ画像２４が動く画像であると判定する。ＯＳＤ画像判定部１１は、さらに、ＯＳＤ合成部２２から出力されるＹＳ信号に基づき、ＯＳＤ画像２４のフレームレートを判定する。ＯＳＤ画像判定部１１は、例えば、ＹＳ信号が２フレームごとに変化していれば、ＯＳＤ画像２４のフレームレートが、入力画像信号のフレームレート（この実施形態では６０Ｈｚ）の１／２（つまり３０Ｈｚ）と判定する。ＯＳＤ画像判定部１１は、それぞれの判定結果を示す信号を、駆動周波数決定部１４に出力する。なお、ＯＳＤ画像判定部１１は、ＹＳ信号が全て「０」のときは、入力画像信号にＯＳＤ画像が合成されていないと判定して、その旨の信号を駆動周波数決定部１４に出力する。
【００１８】
入力フレームレート判定部１２は、入力画像信号のフレームレートを判定する。入力フレームレート判定部１２は、フレームレートの判定結果を示す信号を駆動周波数決定部１４に出力する。この実施形態では、入力フレームレート判定部１２は、入力画像信号のフレームレートを６０Ｈｚと判定し、６０Ｈｚであることを表す信号を駆動周波数決定部１４に出力する。
【００１９】
静止画判定部１３は、入力画像信号に基づき、入力画像信号が静止画を表すか否かを判定する。静止画判定部１３は、例えば、異なるフレーム間で入力画像信号を画素ごとに比較して、入力画像信号が静止画を表すか動画を表すかを判定する。静止画判定部１３は、判定結果を示す信号を駆動周波数決定部１４に出力する。
【００２０】
駆動周波数決定部１４は、ＯＳＤ画像判定部１１、入力フレームレート判定部１２、静止画判定部１３から、それぞれ出力される信号に基づき、フレーム画像を液晶パネル４に表示する際のフレームレートを決定フレームレートとして決定する。駆動周波数決定部１４は、決定フレームレートを示す信号をフレームレート変換部１５に出力する。
【００２１】
駆動周波数決定部１４は、まず、入力フレームレート判定部１２から出力される信号が示すフレームレートを決定フレームレートとして決定する。駆動周波数決定部１４は、例えば入力画像信号のフレームレートが６０Ｈｚであれば６０Ｈｚを決定フレームレートとして決定し、入力画像信号のフレームレートが１５Ｈｚであれば１５Ｈｚを決定フレームレートとして決定する。本実施形態では、上述のように、入力画像信号のフレームレートは６０Ｈｚとしている。
【００２２】
駆動周波数決定部１４は、静止画判定部１３から、入力画像信号が動画を表すことを示す信号が出力されると、入力画像信号のフレームレート（この実施形態では６０Ｈｚ）を決定フレームレートとして決定する。駆動周波数決定部１４は、静止画判定部１３から、入力画像信号が静止画を表すことを示す信号が出力されると、消費電力を低減するために、低下させたフレームレートを決定フレームレートとして決定する。この実施形態では、駆動周波数決定部１４は、フレームレートを３０Ｈｚに決定する。ここで、駆動周波数決定部１４は、入力画像信号により表される画像が、動画と静止画との間で切り替わったときは、複数フレームをかけて徐々に変化するように、フレームレートを決定する。
【００２３】
駆動周波数決定部１４は、例えば入力画像信号が静止画を表すため、フレームレートを３０Ｈｚに決定しているときに、ＯＳＤ画像判定部１１から、オンスクリーン表示されるＯＳＤ画像のフレームレートが６０Ｈｚであって、かつ、動く画像であることを示す信号が出力されると、３０Ｈｚのフレームレートを上昇させて６０Ｈｚを決定フレームレートとして決定する。このとき、駆動周波数決定部１４は、液晶パネル４に現在表示されているフレーム画像の次のフレーム画像から６０Ｈｚのフレームレートで表示されるように、決定フレームレートを瞬時に切り替える。
【００２４】
フレームレート変換部１５は、現行フレームレートを、駆動周波数決定部１４により決定された決定フレームレートに変換する。フレームレート変換部１５は、変換したフレームレートが、入力画像信号のフレームレート（この実施形態では６０Ｈｚ）と異なる場合は、変換したフレームレートに応じて、フレーム画像を補間して補間フレーム画像を生成する。フレームレート変換部１５は、生成した補間フレーム画像を含むフレーム画像を表す信号を駆動処理部３に出力する。駆動処理部３は、フレームレート変換部１５から出力される信号に基づき、液晶パネル４の各画素を駆動する駆動信号を生成する。駆動処理部３は、生成した駆動信号を液晶パネル４に出力する。本実施形態において、フレームレート決定部１０が決定部の一例に相当し、フレームレート変換部１５が変換部の一例に相当し、ＹＳ信号がＯＳＤ信号の一例に相当する。
【００２５】
図２（ａ）〜（ｄ）は、液晶パネル４に表示されるフレーム画像の一例を概略的に示す図である。図２（ａ）は、入力画像信号に基づく入力画像として動画３１が表示されている液晶パネル４を示す。図２（ｂ）は、入力画像信号に基づく入力画像として静止画３２が表示されている液晶パネル４を示す。図２（ｃ）は、図２（ｂ）の静止画３２に、６０Ｈｚの動くＯＳＤ画像２４がオンスクリーン表示されている液晶パネル４を示す。図２（ｄ）は、動画３１が表示されている液晶パネル４を示す。図３は、図２（ａ）〜（ｄ）のフレーム画像が表示されているときの駆動周波数（フレームレート）を概略的に示すタイミングチャートである。図３では、液晶パネル４に表示されるフレーム画像に応じて、順番に、期間Ｔ１〜Ｔ４に区分されている。図１〜図３を用いて、図１に示される変換処理部２の動作が説明される。
【００２６】
図３において、最初の期間Ｔ１では、図２（ａ）に示される動画３１が液晶パネル４に表示される。このとき、駆動周波数決定部１４は、６０Ｈｚを決定フレームレートとして決定する。この実施形態では、入力画像信号のフレームレートが６０Ｈｚであるため、フレームレート変換部１５は、入力画像信号に基づく入力画像を表す信号を生成して、駆動処理部３に出力する。そして、期間Ｔ１では、図３に示されるように、フレームレートは６０Ｈｚに維持される。
【００２７】
期間Ｔ１に続く期間Ｔ２では、図２（ｂ）に示される静止画３２が液晶パネル４に表示される。このとき、駆動周波数決定部１４は、消費電力を低減するために、３０Ｈｚを決定フレームレートとして決定する。ここで、駆動周波数決定部１４は、表示画像にフリッカが生じるのを避けるために、図３に示されるように、フレームレートが６０Ｈｚから３０Ｈｚまで複数フレームに亘って徐々に低下するように、フレームレートを決定する。フレームレート変換部１５は、駆動周波数決定部１４により徐々に低下するように決定されたフレームレートに応じて、入力画像信号を間引いて補間した補間フレーム画像を表す信号を生成して、駆動処理部３に出力する。したがって、期間Ｔ２では、図３に示されるように、フレームレートは６０Ｈｚから徐々に低下し、３０Ｈｚまで低下すると、３０Ｈｚに維持される。
【００２８】
期間Ｔ２に続く期間Ｔ３では、図２（ｃ）に示されるように、液晶パネル４に、図２（ｂ）の静止画３２に加えて、フレームレートが６０Ｈｚの動くＯＳＤ画像２４がオンスクリーン表示される。このとき、駆動周波数決定部１４は、６０Ｈｚを決定フレームレートとして決定する。ここで、駆動周波数決定部１４は、フレームレートを徐々に上昇させることなく、瞬時に上昇させる。つまり、図３に示されるように、駆動周波数決定部１４は、期間Ｔ２の最後のフレームＦの次の、期間Ｔ３の最初のフレームＦにおいて、フレームレートを６０Ｈｚに決定する。この実施形態では、入力画像信号のフレームレートが６０Ｈｚであるため、フレームレート変換部１５は、入力画像信号に基づく入力画像及びＯＳＤ画像２４を含むフレーム画像を表す信号を生成して、駆動処理部３に出力する。そして、期間Ｔ３では、図３に示されるように、フレームレートは６０Ｈｚに維持される。
【００２９】
期間Ｔ３に続く期間Ｔ４では、図２（ｄ）に示される動画３１が液晶パネル４に表示される。このとき、駆動周波数決定部１４は、６０Ｈｚを決定フレームレートとして決定する。そして、期間Ｔ１と同様に、フレームレート変換部１５は、入力画像信号に基づく入力画像を表す信号を生成して、駆動処理部３に出力する。そして、期間Ｔ４では、図３に示されるように、フレームレートは６０Ｈｚに維持される。
【００３０】
図４（ａ）〜（ｅ）は、本実施形態において、静止画３３が表示されている液晶パネル４に、ＯＳＤ画像２４がスライドして徐々にオンスクリーン表示される状態を順番に示す概略図である。図５（ａ）〜（ｃ）は、フレームレートが徐々に上昇する比較例において、静止画３３が表示されている液晶パネル４に、ＯＳＤ画像２４がスライドして徐々にオンスクリーン表示される状態を順番に示す概略図である。図４及び図５を用いて、本実施形態の効果が説明される。
【００３１】
図４（ａ）は、静止画３３が表示されている液晶パネル４を示す。このとき、上述のように、フレームレートは３０Ｈｚにされている。この状態で、図４（ｂ）に示されるように、ＯＳＤ画像２４がスライドしてオンスクリーン表示されると、上述のように、フレームレートは、瞬時に（つまり次のフレーム画像から）６０Ｈｚにされる。その結果、図４（ｂ）〜（ｅ）に示されるように、ＯＳＤ画像２４は、滑らかにスライドしてオンスクリーン表示される。
【００３２】
一方、図５（ａ）は、図４（ａ）と同様に、静止画３３が表示されている液晶パネル４を示す。このとき、上述のように、フレームレートは３０Ｈｚにされている。この状態で、図５（ｂ）に示されるように、ＯＳＤ画像２４がスライドしてオンスクリーン表示されると、比較例では、フレームレートが徐々に上昇する。このため、図５（ｂ）、（ｃ）に示されるように、途中のフレーム画像が抜け落ちる。つまり、図５（ａ）と図５（ｂ）との間には、図４（ｂ）に相当するフレーム画像がない。また、図５（ｂ）と図５（ｃ）との間には、図４（ｄ）に相当するフレーム画像がない。その結果、ＯＳＤ画像２４は、滑らかにスライドせずに、飛び飛びに動く画像となって、液晶パネル４にオンスクリーン表示される。
【００３３】
以上のように、第１実施形態では、例えば液晶パネル４に静止画が表示されて、フレームレートが３０Ｈｚに低下している場合に、６０Ｈｚの動くＯＳＤ画像がオンスクリーン表示されると、フレームレートが瞬時に６０Ｈｚに上昇して、次のフレーム画像から６０Ｈｚのフレームレートで表示される。したがって、第１実施形態によれば、滑らかに動くＯＳＤ画像をオンスクリーン表示することができる。その結果、ＯＳＤ画像生成部２１を作成した作成者の意図通りのＯＳＤ画像を液晶パネル４に表示することができる。
【００３４】
（第２実施形態）
図６は、表示制御装置の第２実施形態が含まれる表示装置の構成と、ＯＳＤ部の構成とを示すブロック図である。図６では、図１と同様の要素に対して、同様の符号が割り当てられている。図６に示される表示装置１ａは、図１に示される表示装置１において、変換処理部２に代えて、表示制御装置の第２実施形態である変換処理部２ａを備えている。以下、第１実施形態との相違点を中心に第２実施形態が説明される。
【００３５】
図６に示されるように、変換処理部２ａは、図１に示される変換処理部２が備えるフレームレート決定部１０及びフレームレート変換部１５に加えて、高精細度マルチメディアインターフェース（ＨＤＭＩ）取得部１６を含む。また、図６に示されるＯＳＤ部５ａは、図１に示されるＯＳＤ部５が備えるＯＳＤ画像生成部２１及びＯＳＤ合成部２２に加えて、ＨＤＭＩ出力部２３を備える。第２実施形態では、ＯＳＤ部５ａと変換処理部２ａとは、デジタルインターフェースの一種であるＨＤＭＩ（登録商標）により接続されている。
【００３６】
ＯＳＤ部５ａのＨＤＭＩ出力部２３は、ＨＤＭＩ規格にしたがって、入力画像信号とＯＳＤ画像信号とが合成された画像信号と、ＹＳ信号とを含むＨＤＭＩ信号を変換処理部２ａに出力する。変換処理部２ａのＨＤＭＩ取得部１６は、ＨＤＭＩ出力部２３から出力されるＨＤＭＩ信号を取得して、入力画像信号とＯＳＤ画像信号とが合成された画像信号と、ＹＳ信号とを区別して出力する。その他の構成は、図１に示される第１実施形態と同様である。本実施形態において、フレームレート決定部１０が決定部の一例に相当し、フレームレート変換部１５が変換部の一例に相当する。この第２実施形態でも、上記第１実施形態と同様に動作し、同様の効果を得ることができる。
【００３７】
（第３実施形態）
図７は、表示制御装置の第３実施形態が含まれる表示装置の構成と、ＯＳＤ部の構成とを示すブロック図である。図７では、図１と同様の要素に対して、同様の符号が割り当てられている。図７に示される表示装置１ｂは、図１に示される表示装置１において、変換処理部２に代えて、表示制御装置の第３実施形態である変換処理部２ｂを備え、さらにカメラ６を備える。以下、第１実施形態との相違点を中心に第３実施形態が説明される。
【００３８】
図７に示されるように、変換処理部２ｂは、図１に示される変換処理部２が備えるフレームレート決定部１０に代えて、フレームレート決定部１０ａを含む。フレームレート決定部１０ａは、図１に示されるフレームレート決定部１０において、駆動周波数決定部１４に代えて駆動周波数決定部１４ａを含み、さらに、撮影情報判定部１７を含む。
【００３９】
カメラ６は、液晶パネル４の前方を撮影して、液晶パネル４に表示される画像を見ている視聴者の顔を検出する。カメラ６は、撮影によって得られた顔検出情報を変換処理部２ｂの撮影情報判定部１７に出力する。撮影情報判定部１７は、カメラ６から出力される顔検出情報に基づき、液晶パネル４に表示される画像を見ることが視聴者の主要な活動か否かを判定する。撮影情報判定部１７は、例えば、視聴者が連続して１０秒間、液晶パネル４を注視していない場合に、液晶パネル４に表示される画像を見ることが視聴者の主要な活動ではないと判定する。また、撮影情報判定部１７は、例えば、視聴者の液晶パネル４からの距離が５ｍを超えている場合に、液晶パネル４に表示される画像を見ることが視聴者の主要な活動ではないと判定する。撮影情報判定部１７は、判定結果を駆動周波数決定部１４ａに出力する。
【００４０】
駆動周波数決定部１４ａは、図１に示される駆動周波数決定部１４の機能に加えて、撮影情報判定部１７から出力される判定結果に基づき、フレームレートを決定する。すなわち、駆動周波数決定部１４ａは、液晶パネル４に表示される画像を見ることが視聴者の主要な活動ではないと、撮影情報判定部１７により判定されると、他の情報にかかわりなく、フレームレートを上昇させずに現行フレームレートを維持すると決定する。例えば、液晶パネル４に静止画が表示され、フレームレートが３０Ｈｚにされている状態で、ＯＳＤ画像判定部１１から、フレームレートが６０Ｈｚで動くＯＳＤ画像が液晶パネル４にオンスクリーン表示されることを示す信号が出力されても、駆動周波数決定部１４ａは、フレームレートを６０Ｈｚに上昇させずに、３０Ｈｚに維持する。本実施形態において、フレームレート決定部１０ａが決定部の一例に相当し、フレームレート変換部１５が変換部の一例に相当し、カメラ６が撮影部の一例に相当する。
【００４１】
以上のように、第３実施形態では、液晶パネル４の表示画像を見ることが視聴者の主要な活動ではないと判定されると、フレームレートが３０Ｈｚに低下している状態で、フレームレートが６０Ｈｚで動くＯＳＤ画像がオンスクリーン表示されても、フレームレートを６０Ｈｚに上昇させずに、３０Ｈｚが維持される。つまり、第３実施形態では、動くＯＳＤ画像が、飛び飛びに動いて液晶パネル４に表示されるのを許容する。その結果、第３実施形態では、消費電力の低減を優先した表示装置１ｂを実現することができる。
【００４２】
（第４実施形態）
図８は、表示制御装置の第４実施形態が含まれる表示装置の構成と、ＯＳＤ部の構成とを示すブロック図である。図８では、図１と同様の要素に対して、同様の符号が割り当てられている。図８に示される表示装置１ｃは、図１に示される表示装置１において、変換処理部２に代えて、表示制御装置の第４実施形態である変換処理部２ｃを備え、さらに電池７を備える。以下、第１実施形態との相違点を中心に第４実施形態が説明される。
【００４３】
図８に示されるように、変換処理部２ｃは、図１に示される変換処理部２が備えるフレームレート決定部１０に代えて、フレームレート決定部１０ｂを含む。フレームレート決定部１０ｂは、図１に示されるフレームレート決定部１０において、駆動周波数決定部１４に代えて駆動周波数決定部１４ｂを含み、さらに、残量判定部１８を含む。
【００４４】
電池７は、変換処理部２ｃを含む表示装置１ｃの各部に電力を供給する。電池７は、電池７の残量に関する情報を表す信号を変換処理部２ｃの残量判定部１８に出力する。残量判定部１８は、電池７から出力される電池７の残量に関する情報を表す信号に基づき、電池７の残量が十分か否かを判定する。すなわち、残量判定部１８は、例えば電池７の残量が１０％以下となった場合に、電池７の残量が不十分と判定する。また、残量判定部１８は、例えば現在の残量低下度合が続くと電池７の残量が残り１時間でゼロになると予測される場合に、電池７の残量が不十分と判定する。残量判定部１８は、判定結果を駆動周波数決定部１４ｂに出力する。
【００４５】
駆動周波数決定部１４ｂは、図１に示される駆動周波数決定部１４の機能に加えて、残量判定部１８から出力される判定結果に基づき、フレームレートを決定フレームレートとして決定する。すなわち、駆動周波数決定部１４ｂは、電池７の残量が不十分であると残量判定部１８により判定されると、フレームレートを上昇させずに現行フレームレートを決定フレームレートとして決定する。例えば、液晶パネル４に静止画が表示され、フレームレートが３０Ｈｚにされている状態で、ＯＳＤ画像判定部１１から、フレームレートが６０Ｈｚで動くＯＳＤ画像が液晶パネル４にオンスクリーン表示されることを示す信号が出力されても、電池７の残量が不十分であると残量判定部１８により判定されると、駆動周波数決定部１４ｂは、フレームレートを６０Ｈｚに上昇させずに、３０Ｈｚを決定フレームレートとして決定する。本実施形態において、フレームレート決定部１０ｂが決定部の一例に相当し、フレームレート変換部１５が変換部の一例に相当する。
【００４６】
以上のように、第４実施形態では、電池７の残量が不十分であると判定されると、フレームレートが３０Ｈｚに低下している状態で、フレームレートが６０Ｈｚで動くＯＳＤ画像がオンスクリーン表示されても、フレームレートを６０Ｈｚに上昇させずに、３０Ｈｚが維持される。つまり、第４実施形態では、動くＯＳＤ画像が、飛び飛びに動いて液晶パネル４に表示されるのを許容する。その結果、第４実施形態では、消費電力の低減を優先した表示装置１ｃを実現することができる。
【００４７】
（第５実施形態）
図９は、表示制御装置の第５実施形態が含まれる表示装置の構成を示すブロック図である。図９では、図１と同様の要素に対して、同様の符号が割り当てられている。図９に示される表示装置１ｄは、図１に示される表示装置１において、変換処理部２に代えて、表示制御装置の第５実施形態である変換処理部２ｄを備え、さらに、ＯＳＤ部５ｂを新たに備える。以下、第１実施形態との相違点を中心に第５実施形態が説明される。
【００４８】
第１〜第４実施形態では、変換処理部２，２ａ〜２ｃの前段で、ＯＳＤ画像信号が入力画像信号に合成されていた。これに対して、第５実施形態では、図９に示されるように、表示装置１ｄがＯＳＤ部５ｂを備え、変換処理部２ｄの後段で、ＯＳＤ画像信号が入力画像信号に合成される。
【００４９】
図９に示されるように、変換処理部２ｄは、図１に示される変換処理部２が備えるフレームレート決定部１０に代えて、フレームレート決定部１０ｃを含む。フレームレート決定部１０ｃは、図１に示されるフレームレート決定部１０において、駆動周波数決定部１４に代えて駆動周波数決定部１４ｃを含み、ＯＳＤ画像判定部を含まない。
【００５０】
ＯＳＤ部５ｂは、ＯＳＤ画像生成部２１とＯＳＤ合成部２２ａとを備える。ＯＳＤ合成部２２ａは、ＯＳＤ画像生成部２１により生成されたＯＳＤ画像を、変換処理部２ｄのフレームレート変換部１５から出力された画像信号に合成する。ＯＳＤ合成部２２ａは、ＯＳＤ画像生成部２１により生成されたＯＳＤ画像の、フレームレート及び動きの有無を示すＯＳＤ信号を変換処理部２ｄの駆動周波数決定部１４ｃに出力する。
【００５１】
駆動周波数決定部１４ｃは、入力フレームレート判定部１２、静止画判定部１３、ＯＳＤ合成部２２ａから、それぞれ出力される信号に基づき、フレーム画像を液晶パネル４に表示する際のフレームレートを決定フレームレートとして決定する。駆動周波数決定部１４ｃは、入力フレームレート判定部１２から出力される信号が示すフレームレートを決定フレームレートとして決定する。駆動周波数決定部１４ｃは、例えば入力画像信号のフレームレートが６０Ｈｚであれば６０Ｈｚを決定フレームレートとして決定し、入力画像信号のフレームレートが１５Ｈｚであれば１５Ｈｚを決定フレームレートとして決定する。第５実施形態では、第１実施形態と同様に、入力画像信号のフレームレートは６０Ｈｚとしている。
【００５２】
駆動周波数決定部１４ｃは、静止画判定部１３から、入力画像信号が動画を表すことを示す信号が出力されると、入力画像信号のフレームレート（この実施形態では６０Ｈｚ）を決定フレームレートとして決定する。駆動周波数決定部１４ｃは、静止画判定部１３から、入力画像信号が静止画を表すことを示す信号が出力されると、消費電力を低減するために、低下させたフレームレートを決定フレームレートとして決定する。この実施形態では、駆動周波数決定部１４ｃは、低下したフレームレートとして、例えば３０Ｈｚを決定フレームレートとして決定する。駆動周波数決定部１４ｃは、入力画像信号により表される画像が、動画と静止画との間で切り替わったときは、フレームレートが複数フレームをかけて徐々に変化するように、フレームレートを決定する。
【００５３】
駆動周波数決定部１４ｃは、ＯＳＤ合成部２２ａから、オンスクリーン表示されるＯＳＤ画像のフレームレートが６０Ｈｚであって、かつ、動く画像であることを示すＯＳＤ信号が出力されたときに、現行フレームレートが、ＯＳＤ画像のフレームレートより低いときは、現行フレームレート（例えば３０Ｈｚ）を上昇させて、ＯＳＤ画像のフレームレート（この実施形態では６０Ｈｚ）を決定フレームレートとして決定する。このとき、駆動周波数決定部１４ｃは、次のフレーム画像から６０Ｈｚのフレームレートで表示されるように、決定フレームレートを瞬時に切り替える。駆動周波数決定部１４ｃは、決定フレームレートを示す信号をフレームレート変換部１５に出力する。本実施形態において、フレームレート決定部１０ｃが決定部の一例に相当し、フレームレート変換部１５が変換部の一例に相当する。
【００５４】
以上のように、第５実施形態では、ＯＳＤ合成部２２ａから出力されるＯＳＤ信号が、オンスクリーン表示されるＯＳＤ画像のフレームレートが現行フレームレートより高く、かつ、ＯＳＤ画像が動く画像であることを示すときは、駆動周波数決定部１４ｃは、現行フレームレートを上昇させて、ＯＳＤ画像のフレームレートを決定フレームレートとして決定し、決定フレームレートを瞬時に切り替える。したがって、入力画像信号により表される画像にＯＳＤ画像がオンスクリーン表示された画像が、次のフレーム画像からＯＳＤ画像のフレームレートで、液晶パネル４に表示される。その結果、第５実施形態でも、液晶パネル４に、滑らかに動くＯＳＤ画像をオンスクリーン表示することができる。
【００５５】
（第６実施形態）
上記第１実施形態の変換処理部２では、現行フレームレートが３０Ｈｚであるときに、６０Ｈｚのフレームレートで生成された動くＯＳＤ画像が合成されると、駆動周波数決定部１４は、フレームレートを上昇させて、ＯＳＤ画像のフレームレートである６０Ｈｚを決定フレームレートとして決定している。しかし、変換処理部は、これに限られず、ＯＳＤ画像のフレームレートより高いフレームレートに上昇させてもよい。
【００５６】
図１０は、表示制御装置の第６実施形態が含まれる表示装置の構成と、ＯＳＤ部の構成とを示すブロック図である。図１０では、図１と同様の要素に対して、同様の符号が割り当てられている。図１０に示される表示装置１ｅは、図１に示される表示装置１において、変換処理部２に代えて、表示制御装置の第６実施形態である変換処理部２ｅを備える。以下、第１実施形態との相違点を中心に第６実施形態が説明される。
【００５７】
図１０に示されるＯＳＤ部５ｃは、ＯＳＤ画像生成部２１とＯＳＤ合成部２２ｂとを備える。ＯＳＤ合成部２２ｂは、ＹＳ信号と、ＯＳＤ画像生成部２１により生成されたＯＳＤ画像のフレームレートに関する情報を表す信号と、を含むＯＳＤ信号を生成する。ＯＳＤ合成部２２ｂは、生成したＯＳＤ信号を変換処理部２ｅに出力する。
【００５８】
駆動周波数決定部１４ｄは、この実施形態では、静止画判定部１３から動画である旨の信号が入力されると、２４０Ｈｚを決定フレームレートとして決定する。これによって、動画の表示品位を高めている。駆動周波数決定部１４ｄは、静止画判定部１３から静止画である旨の信号が入力されると、３０Ｈｚを決定フレームレートとして決定する。これによって、消費電力を低減している。駆動周波数決定部１４ｄは、２４０Ｈｚと３０Ｈｚとの間でフレームレートを切り替えるときは、第１実施形態と同様に、複数フレームに亘って徐々にフレームレートを切り替える。これによって、液晶パネル４の表示画像にフリッカが生じるのを防止している。
【００５９】
駆動周波数決定部１４ｄは、ＯＳＤ合成部２２ｂから出力されるＯＳＤ信号が、現行フレームレートよりＯＳＤ画像のフレームレートの方が高いことを表す場合に、ＯＳＤ画像のフレームレートの２倍のフレームレートを決定フレームレートとして決定する。なお、この第６実施形態でも、入力画像信号のフレームレートは６０Ｈｚとする。本実施形態において、フレームレート決定部１０ｄが決定部の一例に相当し、フレームレート変換部１５が変換部の一例に相当する。
【００６０】
図１１は、第６実施形態において、図２（ａ）〜（ｄ）のフレーム画像が表示されているときの駆動周波数（フレームレート）を概略的に示すタイミングチャートである。図１１では、液晶パネル４に表示されるフレーム画像に応じて、順番に、期間Ｔ１１〜Ｔ１４に区分されている。図２、図１０、図１１を用いて、図１０に示される変換処理部２ｅの動作が説明される。
【００６１】
図１１において、最初の期間Ｔ１１では、図２（ａ）に示される動画が液晶パネル４に表示される。このとき、駆動周波数決定部１４ｄは、２４０Ｈｚを決定フレームレートとして決定する。この実施形態では、入力画像信号のフレームレートが６０Ｈｚであるため、フレームレート変換部１５は、入力画像信号に基づくフレーム画像を補間した補間フレーム画像を表す信号を生成して、駆動処理部３に出力する。そして、期間Ｔ１１では、図１１に示されるように、フレームレートは２４０Ｈｚに維持される。これによって、図３の場合に比べて動画の表示品位を向上している。
【００６２】
期間Ｔ１１に続く期間Ｔ１２では、図２（ｂ）に示される静止画が液晶パネル４に表示される。このとき、駆動周波数決定部１４ｄは、消費電力を低減するために、３０Ｈｚを決定フレームレートとして決定する。ここで、駆動周波数決定部１４ｄは、表示画像にフリッカが生じるのを避けるために、図１１に示されるように、フレームレートが２４０Ｈｚから３０Ｈｚまで複数フレームに亘って徐々に低下するように、フレームレートを決定する。フレームレート変換部１５は、駆動周波数決定部１４ｄにより徐々に低下するように決定された決定フレームレートに応じて、入力画像信号を補間した補間フレーム画像を表す信号を生成して、駆動処理部３に出力する。したがって、期間Ｔ１２では、図１１に示されるように、フレームレートは２４０Ｈｚから徐々に低下し、３０Ｈｚまで低下すると、３０Ｈｚに維持される。
【００６３】
期間Ｔ１２に続く期間Ｔ１３では、図２（ｃ）に示される、静止画に、動くＯＳＤ画像２４がオンスクリーン表示された画像が液晶パネル４に表示される。このとき、駆動周波数決定部１４ｄは、ＯＳＤ合成部２２ｂから、ＯＳＤ画像のフレームレートが６０Ｈｚである旨を示すＯＳＤ信号が出力されると、ＯＳＤ画像のフレームレートの２倍の１２０Ｈｚを決定フレームレートとして決定する。ここで、駆動周波数決定部１４ｄは、決定フレームレートを徐々に上昇させることなく、瞬時に切り替える。つまり、駆動周波数決定部１４ｄは、期間Ｔ１２の最後のフレームＦの次の、期間Ｔ１３の最初のフレームＦにおいて、１２０Ｈｚを決定フレームレートとして決定する。この第６実施形態では、入力画像信号のフレームレート及びＯＳＤ画像のフレームレートが、両方とも６０Ｈｚであるため、フレームレート変換部１５は、入力画像信号及びＯＳＤ画像信号を補間した補間フレーム画像を生成し、生成した補間フレーム画像を含むフレーム画像を表す信号を生成して、駆動処理部３に出力する。そして、期間Ｔ１３では、図１１に示されるように、フレームレートは１２０Ｈｚに維持される。
【００６４】
期間Ｔ１３に続く期間Ｔ１４では、図２（ｄ）に示される動画が液晶パネル４に表示される。このとき、駆動周波数決定部１４ｄは、２４０Ｈｚを決定フレームレートとして決定する。ここで、駆動周波数決定部１４ｄは、表示画像にフリッカが生じるのを避けるために、図１１に示されるように、フレームレートが１２０Ｈｚから２４０Ｈｚまで複数フレームに亘って徐々に上昇するように、決定フレームレートを徐々に切り替える。フレームレート変換部１５は、駆動周波数決定部１４ｄにより徐々に上昇するように決定された決定フレームレートに応じて、入力画像信号を補間した補間フレーム画像を表す信号を生成して、駆動処理部３に出力する。したがって、期間Ｔ１４では、図１１に示されるように、フレームレートは１２０Ｈｚから徐々に上昇し、２４０Ｈｚまで上昇すると２４０Ｈｚに維持される。
【００６５】
以上のように、第６実施形態では、オンスクリーン表示されるＯＳＤ画像のフレームレートが現行フレームレートより高く、かつ、ＯＳＤ画像が動く画像であることを、ＯＳＤ合成部２２ｂから出力されるＯＳＤ信号が示すときは、駆動周波数決定部１４ｄは、現行フレームレートを瞬時に切り替えて、ＯＳＤ画像のフレームレートの２倍のフレームレートを決定フレームレートとして決定する。したがって、次のフレーム画像から、ＯＳＤ画像のフレームレートの２倍のフレームレートで画像が表示される。その結果、第６実施形態でも、滑らかに動くＯＳＤ画像をオンスクリーン表示することができる。
【００６６】
なお、上記第６実施形態では、駆動周波数決定部１４ｄは、ＯＳＤ画像のフレームレートの２倍のフレームレートを決定フレームレートとして決定している。しかし、変換処理部は、これに限られない。例えば、駆動周波数決定部１４ｄは、ＯＳＤ画像のフレームレートの３倍又は４倍のフレームレートを決定フレームレートとして決定してもよい。すなわち、駆動周波数決定部１４ｄは、ＯＳＤ画像のフレームレートの整数倍を決定フレームレートとして決定すればよい。
【００６７】
（その他）
上記各実施形態において、駆動周波数決定部１４等は、決定フレームレートを瞬時に切り替えて、液晶パネル４に現在表示されているフレーム画像の次のフレーム画像から、決定フレームレートで表示されるようにしている。代替的に、駆動周波数決定部１４等は、決定フレームレートを瞬時に切り替えなくてもよい。駆動周波数決定部１４等は、例えばＫ（Ｋは正の整数）フレーム後のフレーム画像から、決定フレームレートで表示されるように、決定フレームレートをＫフレーム後に切り替えてもよい。ここで、Ｋ＝１の場合が上記各実施形態に相当する。なお、Ｋが例えば１０以下の整数であれば、現行フレームレートから決定フレームレートへの切替えの遅れがユーザに目立たない。したがって、Ｋは１以上かつ１０以下の整数であることが好ましい。
【００６８】
上記各実施形態において、駆動周波数決定部１４等は、オンスクリーン表示されるＯＳＤ画像が動かない画像の場合には、現行フレームレート（例えば３０Ｈｚ）よりＯＳＤ画像のフレームレート（例えば６０Ｈｚ）の方が高くても、現行フレームレートを決定フレームレートとして決定してもよい。ＯＳＤ画像が動かないため、現行フレームレートのままでも、ＯＳＤ画像の表示品位が低下することはない。これによって、ＯＳＤ画像の表示品位が低下することなく、消費電力を低減することができる。
【００６９】
上記各実施形態において、駆動周波数決定部１４等は、オンスクリーン表示されるＯＳＤ画像が動かない画像の場合でも、現行フレームレート（例えば３０Ｈｚ）よりＯＳＤ画像のフレームレート（例えば６０Ｈｚ）の方が高い場合には、フレームレートをＯＳＤ画像のフレームレートに上昇させると決定してもよい。これによって、ＯＳＤ画像のフレームレートで液晶パネル４にＯＳＤ画像を表示することができる。
【００７０】
上記各実施形態において、駆動周波数決定部１４等は、オンスクリーン表示されるＯＳＤ画像のサイズに応じて、決定フレームレートを変更してもよい。例えば、駆動周波数決定部１４等は、ＯＳＤ画像のサイズが所定値（例えば液晶パネル４のサイズの５％）以下の場合には、現行フレームレート（例えば３０Ｈｚ）よりＯＳＤ画像のフレームレート（例えば６０Ｈｚ）の方が高くても、現行フレームレートを決定フレームレートとして決定してもよい。ＯＳＤ画像のサイズが小さい場合には、現行フレームレートのままでも、ＯＳＤ画像の表示品位の低下が目立たない。その結果、消費電力の低減を優先した表示装置を実現することができる。
【００７１】
上記各実施形態において、静止画判定部１３は、入力画像信号が動画を表す場合でも、動き量が少ない場合には、静止画であると判定してもよい。例えば、前後のフレーム間で液晶パネル４の表示画面全体の水平方向の動き量の平均が１０画素以下、かつ、垂直方向の動き量の平均が１０画素以下である状態が６０フレーム期間続いたならば、静止画判定部１３は、静止画と判定してもよい。
【００７２】
上記第１〜第４及び第６実施形態において、ＯＳＤ画像判定部１１は、ＯＳＤ画像の動き量が少ない場合には、ＯＳＤ画像は動かない画像であると判定してもよい。例えば、前後のフレーム間で、ＯＳＤ画像の水平方向の動き量が１０画素未満、かつ、ＯＳＤ画像の垂直方向の動き量が１０画素未満ならば、ＯＳＤ画像判定部１１は、ＯＳＤ画像は動かない画像であると判定してもよい。言い換えると、前後のフレーム間で、ＯＳＤ画像の水平方向の動き量が１０画素以上、または、ＯＳＤ画像の垂直方向の動き量が１０画素以上ならば、ＯＳＤ画像判定部１１は、ＯＳＤ画像は動く画像であると判定してもよい。
【００７３】
また、上記各表示装置１，１ａ〜１ｅは、表示部として液晶パネル４を備えているが、表示部は、これに限られない。上記各表示装置１，１ａ〜１ｅは、例えば、表示部として有機ＥＬパネルを備えてもよい。表示部は、例えば、フレーム画像を表示する際のフレームレートを低下させると消費電力が低下する表示部であればよい。
【００７４】
なお、上述した具体的実施形態には以下の構成を有する発明が主に含まれている。
【００７５】
本発明の一局面に係る表示制御装置は、入力画像信号に基づく入力画像とオンスクリーン表示するためのＯＳＤ画像とを含むフレーム画像を表示する表示部における前記フレーム画像の表示を制御する表示制御装置であって、前記フレーム画像を前記表示部に表示する際のフレームレートを決定フレームレートとして決定する決定部と、前記決定フレームレートが現行フレームレートと異なる場合に、現行フレームレートを前記決定フレームレートに変換する変換部と、を備え、前記決定部は、ＯＳＤ画像に関する情報を取得し、取得した前記ＯＳＤ画像に関する情報に基づき、前記決定フレームレートを現行フレームレートと同じフレームレートとするか現行フレームレートより高いフレームレートとするかを決定し、前記決定フレームレートを現行フレームレートより高いフレームレートとすると決定する場合に、前記表示部に現在表示されているフレーム画像のＫ（Ｋは１以上かつ１０以下の整数）フレーム後のフレーム画像から前記決定フレームレートで前記表示部に表示されるように、フレームレートを前記決定フレームレートに決定する。
【００７６】
この構成によれば、フレーム画像を表示部に表示する際のフレームレートが決定部により決定フレームレートとして決定される。決定フレームレートが現行フレームレートと異なる場合に、変換部によって、現行フレームレートが決定フレームレートに変換される。ＯＳＤ画像に関する情報に基づき、決定フレームレートを現行フレームレートと同じフレームレートとするか現行フレームレートより高いフレームレートとするかが、決定部によって決定される。したがって、決定フレームレートをＯＳＤ画像に適切なフレームレートに決定することができる。決定フレームレートを現行フレームレートより高いフレームレートとすると決定部が決定する場合に、表示部に現在表示されているフレーム画像のＫ（Ｋは１以上かつ１０以下の整数）フレーム後のフレーム画像から決定フレームレートで表示されるように、決定部によって、決定フレームレートが決定される。したがって、ＯＳＤ画像に適切な決定フレームレートで、Ｋフレーム後のフレーム画像からＯＳＤ画像が表示部にオンスクリーン表示される。このため、ＯＳＤ画像の表示品位の低下を抑制することができる。
【００７７】
上記表示制御装置において、前記ＯＳＤ画像に関する情報は、ＯＳＤ画像を表示する際のフレームレートであるＯＳＤフレームレートの情報を含んでもよい。前記決定部は、前記ＯＳＤ画像に関する情報が、ＯＳＤフレームレートは現行フレームレートより高い値である旨の情報を含む場合に、前記決定フレームレートをＯＳＤフレームレートのＮ倍（Ｎは１以上の整数）のフレームレートとすると決定してもよい。
【００７８】
この構成によれば、ＯＳＤ画像に関する情報には、ＯＳＤ画像を表示する際のフレームレートであるＯＳＤフレームレートの情報が含まれる。ＯＳＤ画像に関する情報が、ＯＳＤフレームレートは現行フレームレートより高い値である旨の情報を含む場合に、決定フレームレートをＯＳＤフレームレートのＮ倍のフレームレートとすると、決定部により決定される。したがって、ＯＳＤ画像をＯＳＤフレームレートのＮ倍のフレームレートで表示部に好適にオンスクリーン表示することができる。
【００７９】
上記表示制御装置において、前記決定部は、前記ＯＳＤ画像に関する情報が、ＯＳＤフレームレートは現行フレームレート以下の値である旨の情報を含む場合に、前記決定フレームレートを現行フレームレートと同じフレームレートとすると決定してもよい。
【００８０】
この構成によれば、ＯＳＤ画像に関する情報が、ＯＳＤフレームレートは現行フレームレート以下の値である旨の情報を含む場合に、決定フレームレートを現行フレームレートと同じフレームレートとすると決定部によって決定される。ＯＳＤフレームレートが現行フレームレート以下であるため、ＯＳＤ画像を現行フレームレートで表示部に好適にオンスクリーン表示することができる。
【００８１】
上記表示制御装置において、前記ＯＳＤ画像に関する情報は、さらに、ＯＳＤ画像が動く画像であるか否かを表す情報を含んでもよい。前記決定部は、前記ＯＳＤ画像に関する情報が、ＯＳＤフレームレートは現行フレームレートより高い値である旨の情報を含み、かつ、ＯＳＤ画像は動く画像であることを表す情報を含む場合に、前記決定フレームレートをＯＳＤフレームレートのＮ倍（Ｎは１以上の整数）のフレームレートとすると決定してもよい。
【００８２】
この構成によれば、ＯＳＤ画像に関する情報には、さらに、ＯＳＤ画像が動く画像であるか否かを表す情報が含まれる。ＯＳＤ画像に関する情報が、ＯＳＤフレームレートは現行フレームレートより高い値である旨の情報を含み、かつ、ＯＳＤ画像は動く画像であることを表す情報を含む場合に、決定部によって、決定フレームレートをＯＳＤフレームレートのＮ倍のフレームレートとすると決定される。したがって、Ｋフレーム後のフレーム画像から、動く画像であるＯＳＤ画像をＯＳＤフレームレートのＮ倍のフレームレートで表示部に好適にオンスクリーン表示することができる。
【００８３】
上記表示制御装置において、前記決定部は、前記ＯＳＤ画像に関する情報が、ＯＳＤ画像は動く画像でないことを表す情報を含む場合に、ＯＳＤフレームレートの高低にかかわらず、前記決定フレームレートを現行フレームレートと同じフレームレートとすると決定してもよい。
【００８４】
この構成によれば、ＯＳＤ画像に関する情報が、ＯＳＤ画像は動く画像でないことを表す情報を含む場合に、決定部によって、ＯＳＤフレームレートの高低にかかわらず、決定フレームレートを現行フレームレートと同じフレームレートとすると決定される。ＯＳＤ画像が動く画像でないため、現行フレームレートでも、ＯＳＤ画像を表示部に好適にオンスクリーン表示することができる。
【００８５】
上記表示制御装置において、前記ＯＳＤ画像に関する情報は、前記表示部におけるＯＳＤ画像の表示領域を表すＯＳＤ信号を含んでもよい。前記決定部は、前記ＯＳＤ信号に基づきＯＳＤ画像が動く画像であるか否かを判定するＯＳＤ画像判定部を含んでもよい。前記決定部は、ＯＳＤ画像が動く画像でないと前記ＯＳＤ画像判定部が判定した場合に、前記決定フレームレートを現行フレームレートと同じフレームレートとすると決定してもよい。
【００８６】
この構成によれば、ＯＳＤ画像に関する情報には、表示部におけるＯＳＤ画像の表示領域を表すＯＳＤ信号が含まれる。ＯＳＤ信号に基づきＯＳＤ画像が動く画像であるか否かがＯＳＤ画像判定部によって判定される。ＯＳＤ画像が動く画像でないとＯＳＤ画像判定部が判定した場合に、決定部によって、決定フレームレートを現行フレームレートと同じフレームレートとすると決定される。ＯＳＤ画像が動く画像でないため、ＯＳＤ画像を現行フレームレートで表示部に好適にオンスクリーン表示することができる。
【００８７】
上記表示制御装置において、前記表示部を観察する観察者を撮影する撮影部をさらに備えてもよい。前記決定部は、前記撮影部の撮影結果に基づき、観察者に関する情報を判定する撮影情報判定部を含んでもよい。前記撮影情報判定部は、観察者に関する情報として、観察者が前記表示部を見ていない時間が継続して所定時間以上であるか否か、または、観察者が前記表示部から所定距離以上離れているか否かを判定してもよい。前記決定部は、観察者が前記表示部を見ていない時間が継続して所定時間以上であると前記撮影情報判定部が判定した場合に、または、観察者が前記表示部から所定距離以上離れていると前記撮影情報判定部が判定した場合に、前記ＯＳＤ画像に関する情報にかかわらず、前記決定フレームレートを現行フレームレートと同じフレームレートとすると決定してもよい。
【００８８】
この構成によれば、表示部を観察する観察者を撮影する撮影部の撮影結果に基づき、観察者に関する情報が、撮影情報判定部によって判定される。観察者に関する情報として、観察者が表示部を見ていない時間が継続して所定時間以上であるか否か、または、観察者が表示部から所定距離以上離れているか否かが、撮影情報判定部によって判定される。観察者が表示部を見ていない時間が継続して所定時間以上であると撮影情報判定部によって判定された場合に、または、観察者が表示部から所定距離以上離れていると撮影情報判定部によって判定された場合に、決定部によって、決定フレームレートを現行フレームレートと同じフレームレートとすると決定される。これらの場合には、表示部を見ることが観察者の主要な活動ではないと考えられる。そこで、決定フレームレートを現行フレームレートと同じフレームレートとすると決定しても、オンスクリーン表示されるＯＳＤ画像の表示品位の低下が、観察者に目立つことは殆どない。
【００８９】
上記表示制御装置において、装置の各部に電力を供給する電池をさらに備えてもよい。前記決定部は、前記電池の残量を判定する残量判定部を含んでもよい。前記決定部は、前記電池の残量が所定値以下であると前記残量判定部が判定した場合に、前記ＯＳＤ画像に関する情報にかかわらず、前記決定フレームレートを現行フレームレートと同じフレームレートとすると決定してもよい。
【００９０】
この構成によれば、装置の各部に電力が電池から供給される。電池の残量が残量判定部によって判定される。電池の残量が所定値以下であると残量判定部により判定された場合に、決定部によって、決定フレームレートを現行フレームレートと同じフレームレートとすると決定される。決定フレームレートが現行フレームレートより高いフレームレートとされないため、電池の残量が、より速く低下するのを避けることができる。
【００９１】
本発明の一局面に係る表示制御方法は、入力画像信号に基づく入力画像とオンスクリーン表示するためのＯＳＤ画像とを含むフレーム画像を表示する表示部における前記フレーム画像の表示を制御する表示制御方法であって、前記フレーム画像を前記表示部に表示する際のフレームレートを決定フレームレートとして決定する第１ステップと、前記決定フレームレートが現行フレームレートと異なる場合に、現行フレームレートを前記決定フレームレートに変換する第２ステップと、を備え、前記第１ステップは、ＯＳＤ画像に関する情報を取得する取得ステップと、取得された前記ＯＳＤ画像に関する情報に基づき、前記決定フレームレートを現行フレームレートと同じフレームレートとするか現行フレームレートより高いフレームレートとするかを決定する決定ステップと、を含み、前記第１ステップでは、前記決定ステップにおいて前記決定フレームレートを現行フレームレートより高いフレームレートとすると決定される場合に、前記表示部に現在表示されているフレーム画像のＫ（Ｋは１以上かつ１０以下の整数）フレーム後のフレーム画像から前記決定フレームレートで前記表示部に表示されるように、フレームレートが前記決定フレームレートに決定される。
【００９２】
この構成によれば、第１ステップにおいて、フレーム画像を表示部に表示する際のフレームレートが決定フレームレートとして決定される。第２ステップにおいて、決定フレームレートが現行フレームレートと異なる場合に、現行フレームレートが決定フレームレートに変換される。取得ステップにおいて、ＯＳＤ画像に関する情報が取得される。決定ステップにおいて、取得されたＯＳＤ画像に関する情報に基づき、決定フレームレートを現行フレームレートと同じフレームレートとするか現行フレームレートより高いフレームレートとするかが決定される。決定ステップにおいて決定フレームレートを現行フレームレートより高いフレームレートとすると決定される場合に、第１ステップでは、表示部に現在表示されているフレーム画像のＫ（Ｋは１以上かつ１０以下の整数）フレーム後のフレーム画像から決定フレームレートで表示部に表示されるように、フレームレートが決定フレームレートに決定される。したがって、ＯＳＤ画像に適切な決定フレームレートで、Ｋフレーム後のフレーム画像からＯＳＤ画像が表示部にオンスクリーン表示される。このため、ＯＳＤ画像の表示品位の低下を抑制することができる。
【産業上の利用可能性】
【００９３】
入力画像信号に基づく入力画像とオンスクリーン表示するためのＯＳＤ画像とを含むフレーム画像を表示する表示部におけるフレーム画像の表示を制御する表示制御装置において、オンスクリーン表示される画像の表示品位低下を抑制することを可能にする表示制御装置及び表示制御方法として有用である。
【図１】
2013175735.tif 000003
【図２】
2013175735.tif 000004
【図３】
2013175735.tif 000005
【図４】
2013175735.tif 000006
【図５】
2013175735.tif 000007
【図６】
2013175735.tif 000008
【図７】
2013175735.tif 000009
【図８】
2013175735.tif 000010
【図９】
2013175735.tif 000011
【図１０】
2013175735.tif 000012
【図１１】
2013175735.tif 000013
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
入力画像信号に基づく入力画像とオンスクリーン表示するためのＯＳＤ画像とを含むフレーム画像を表示する表示部における前記フレーム画像の表示を制御する表示制御装置であって、
前記フレーム画像を前記表示部に表示する際のフレームレートを決定フレームレートとして決定する決定部と、
前記決定フレームレートが現行フレームレートと異なる場合に、現行フレームレートを前記決定フレームレートに変換する変換部と、
を備え、
前記決定部は、ＯＳＤ画像に関する情報を取得し、取得した前記ＯＳＤ画像に関する情報に基づき、前記決定フレームレートを現行フレームレートと同じフレームレートとするか現行フレームレートより高いフレームレートとするかを決定し、前記決定フレームレートを現行フレームレートより高いフレームレートとすると決定する場合に、前記表示部に現在表示されているフレーム画像のＫ（Ｋは１以上かつ１０以下の整数）フレーム後のフレーム画像から前記決定フレームレートで前記表示部に表示されるように、フレームレートを前記決定フレームレートに決定することを特徴とする表示制御装置。
【請求項２】
前記ＯＳＤ画像に関する情報は、ＯＳＤ画像を表示する際のフレームレートであるＯＳＤフレームレートの情報を含み、
前記決定部は、前記ＯＳＤ画像に関する情報が、ＯＳＤフレームレートは現行フレームレートより高い値である旨の情報を含む場合に、前記決定フレームレートをＯＳＤフレームレートのＮ倍（Ｎは１以上の整数）のフレームレートとすると決定することを特徴とする請求項１記載の表示制御装置。
【請求項３】
前記決定部は、前記ＯＳＤ画像に関する情報が、ＯＳＤフレームレートは現行フレームレート以下の値である旨の情報を含む場合に、前記決定フレームレートを現行フレームレートと同じフレームレートとすると決定することを特徴とする請求項２記載の表示制御装置。
【請求項４】
前記ＯＳＤ画像に関する情報は、さらに、ＯＳＤ画像が動く画像であるか否かを表す情報を含み、
前記決定部は、前記ＯＳＤ画像に関する情報が、ＯＳＤフレームレートは現行フレームレートより高い値である旨の情報を含み、かつ、ＯＳＤ画像は動く画像であることを表す情報を含む場合に、前記決定フレームレートをＯＳＤフレームレートのＮ倍（Ｎは１以上の整数）のフレームレートとすると決定することを特徴とする請求項２または３記載の表示制御装置。
【請求項５】
前記決定部は、前記ＯＳＤ画像に関する情報が、ＯＳＤ画像は動く画像でないことを表す情報を含む場合に、ＯＳＤフレームレートの高低にかかわらず、前記決定フレームレートを現行フレームレートと同じフレームレートとすると決定することを特徴とする請求項４記載の表示制御装置。
【請求項６】
前記ＯＳＤ画像に関する情報は、前記表示部におけるＯＳＤ画像の表示領域を表すＯＳＤ信号を含み、
前記決定部は、前記ＯＳＤ信号に基づきＯＳＤ画像が動く画像であるか否かを判定するＯＳＤ画像判定部を含み、
前記決定部は、ＯＳＤ画像が動く画像でないと前記ＯＳＤ画像判定部が判定した場合に、前記決定フレームレートを現行フレームレートと同じフレームレートとすると決定することを特徴とする請求項１ないし３のいずれか１項に記載の表示制御装置。
【請求項７】
前記表示部を観察する観察者を撮影する撮影部をさらに備え、
前記決定部は、前記撮影部の撮影結果に基づき、観察者に関する情報を判定する撮影情報判定部を含み、
前記撮影情報判定部は、観察者に関する情報として、観察者が前記表示部を見ていない時間が継続して所定時間以上であるか否か、または、観察者が前記表示部から所定距離以上離れているか否かを判定し、
前記決定部は、観察者が前記表示部を見ていない時間が継続して所定時間以上であると前記撮影情報判定部が判定した場合に、または、観察者が前記表示部から所定距離以上離れていると前記撮影情報判定部が判定した場合に、前記ＯＳＤ画像に関する情報にかかわらず、前記決定フレームレートを現行フレームレートと同じフレームレートとすると決定することを特徴とする請求項１ないし６のいずれか１項に記載の表示制御装置。
【請求項８】
装置の各部に電力を供給する電池をさらに備え、
前記決定部は、前記電池の残量を判定する残量判定部を含み、
前記決定部は、前記電池の残量が所定値以下であると前記残量判定部が判定した場合に、前記ＯＳＤ画像に関する情報にかかわらず、前記決定フレームレートを現行フレームレートと同じフレームレートとすると決定することを特徴とする請求項１ないし７のいずれか１項に記載の表示制御装置。
【請求項９】
入力画像信号に基づく入力画像とオンスクリーン表示するためのＯＳＤ画像とを含むフレーム画像を表示する表示部における前記フレーム画像の表示を制御する表示制御方法であって、
前記フレーム画像を前記表示部に表示する際のフレームレートを決定フレームレートとして決定する第１ステップと、
前記決定フレームレートが現行フレームレートと異なる場合に、現行フレームレートを前記決定フレームレートに変換する第２ステップと、
を備え、
前記第１ステップは、
ＯＳＤ画像に関する情報を取得する取得ステップと、
取得された前記ＯＳＤ画像に関する情報に基づき、前記決定フレームレートを現行フレームレートと同じフレームレートとするか現行フレームレートより高いフレームレートとするかを決定する決定ステップと、
を含み、
前記第１ステップでは、前記決定ステップにおいて前記決定フレームレートを現行フレームレートより高いフレームレートとすると決定される場合に、前記表示部に現在表示されているフレーム画像のＫ（Ｋは１以上かつ１０以下の整数）フレーム後のフレーム画像から前記決定フレームレートで前記表示部に表示されるように、フレームレートが前記決定フレームレートに決定されることを特徴とする表示制御方法。
【手続補正２】
【補正対象書類名】明細書
【補正対象項目名】全文
【補正方法】変更
【補正の内容】
【発明の詳細な説明】
【技術分野】
【０００１】
本発明は、フレーム画像を表示する表示部における表示を制御する表示制御装置及び表示制御方法に関するものである。
【背景技術】
【０００２】
フレーム画像を表示する表示部を備えた表示装置は、例えば外部からの入力画像信号に基づき、表示部に表示するフレーム画像を次々と切り替えて、滑らかな画像を表示部に表示している。フレーム画像を切り替える周波数は、フレームレートと称され、一般に６０Ｈｚが用いられている。従来、入力画像信号が、静止画を表す信号か動画を表す信号かを検出し、検出結果に応じてフレームレートを切り替える表示装置が知られている（例えば特許文献１参照）。
【０００３】
この特許文献１に記載の装置では、入力画像信号が静止画を表すときは、フレームレートを低下させて、表示時の消費電力を低減させている。ここで、入力画像信号が静止画と動画との間で切り替わり、フレームレートを上昇又は低下させるときは、所定の時定数を持たせ、フレームレートを急激に変化させないようにしている。これによって、画像の表示品位の低下を防止している。
【先行技術文献】
【特許文献】
【０００４】
【特許文献１】特開２００３−２８０５７８号公報
【発明の概要】
【発明が解決しようとする課題】
【０００５】
上記特許文献１に記載の装置では、さらに、入力画像信号に基づき表示部に表示される入力画像に、メニュー画像などを重ねて表示するオンスクリーン表示を行うことが開示されている。しかしながら、フレームレートを低下させているときに、動く画像がオンスクリーン表示されて、フレームレートを徐々に上昇させると、オンスクリーン表示される画像が滑らかに動かずに飛び飛びに動き、オンスクリーン表示される画像の表示品位が低下する。
【０００６】
本発明は、上述した課題を解決するためになされたもので、オンスクリーン表示される画像の表示品位低下を抑制することが可能な表示制御装置及び表示制御方法を提供することを目的とする。
【課題を解決するための手段】
【０００７】
本発明の一局面に係る表示制御装置は、入力画像信号に基づく入力画像とオンスクリーン表示するためのＯＳＤ画像とを含むフレーム画像を表示する表示部における前記フレーム画像の表示を制御する表示制御装置であって、前記フレーム画像を前記表示部に表示する際のフレームレートを決定フレームレートとして決定する決定部と、前記決定フレームレートが現行フレームレートと異なる場合に、現行フレームレートを前記決定フレームレートに変換する変換部と、を備え、前記決定部は、ＯＳＤ画像に関する情報を取得し、取得した前記ＯＳＤ画像に関する情報に基づき、前記決定フレームレートを現行フレームレートと同じフレームレートとするか現行フレームレートより高いフレームレートとするかを決定し、前記決定フレームレートを現行フレームレートより高いフレームレートとすると決定する場合に、前記表示部に現在表示されているフレーム画像のＫ（Ｋは１以上かつ１０以下の整数）フレーム後のフレーム画像から前記決定フレームレートで前記表示部に表示されるように、フレームレートを前記決定フレームレートに決定する。
【０００８】
本発明の一局面に係る表示制御方法は、入力画像信号に基づく入力画像とオンスクリーン表示するためのＯＳＤ画像とを含むフレーム画像を表示する表示部における前記フレーム画像の表示を制御する表示制御方法であって、前記フレーム画像を前記表示部に表示する際のフレームレートを決定フレームレートとして決定する第１ステップと、前記決定フレームレートが現行フレームレートと異なる場合に、現行フレームレートを前記決定フレームレートに変換する第２ステップと、を備え、前記第１ステップは、ＯＳＤ画像に関する情報を取得する取得ステップと、取得された前記ＯＳＤ画像に関する情報に基づき、前記決定フレームレートを現行フレームレートと同じフレームレートとするか現行フレームレートより高いフレームレートとするかを決定する決定ステップと、を含み、前記第１ステップでは、前記決定ステップにおいて前記決定フレームレートを現行フレームレートより高いフレームレートとすると決定される場合に、前記表示部に現在表示されているフレーム画像のＫ（Ｋは１以上かつ１０以下の整数）フレーム後のフレーム画像から前記決定フレームレートで前記表示部に表示されるように、フレームレートが前記決定フレームレートに決定される。
【発明の効果】
【０００９】
本発明によれば、ＯＳＤ画像に関する情報に基づき、決定フレームレートを現行フレームレートと同じフレームレートとするか現行フレームレートより高いフレームレートとするかが決定されるため、決定フレームレートをＯＳＤ画像に適切なフレームレートに決定することができる。決定フレームレートを現行フレームレートより高いフレームレートとすると決定された場合に、表示部に現在表示されているフレーム画像のＫ（Ｋは１以上かつ１０以下の整数）フレーム後のフレーム画像から決定フレームレートで表示されるように、フレームレートが決定フレームレートに決定されるため、ＯＳＤ画像に適切な決定フレームレートで、Ｋフレーム後のフレーム画像からＯＳＤ画像が表示部にオンスクリーン表示される。その結果、ＯＳＤ画像の表示品位の低下を抑制することができる。
【図面の簡単な説明】
【００１０】
【図１】表示制御装置の第１実施形態が含まれる表示装置の構成と、オンスクリーン表示部の構成とを示すブロック図である。
【図２】（ａ）〜（ｄ）は、液晶パネルに表示されるフレーム画像の一例を概略的に示す図である。
【図３】図２（ａ）〜（ｄ）のフレーム画像が表示されているときの駆動周波数を概略的に示すタイミングチャートである。
【図４】（ａ）〜（ｅ）は、本実施形態において、静止画が表示されている液晶パネルに、ＯＳＤ画像がスライドして徐々にオンスクリーン表示される状態を順番に示す概略図である。
【図５】（ａ）〜（ｃ）は、フレームレートが徐々に上昇する比較例において、静止画が表示されている液晶パネルに、ＯＳＤ画像がスライドして徐々にオンスクリーン表示される状態を順番に示す概略図である。
【図６】表示制御装置の第２実施形態が含まれる表示装置の構成と、ＯＳＤ部の構成とを示すブロック図である。
【図７】表示制御装置の第３実施形態が含まれる表示装置の構成と、ＯＳＤ部の構成とを示すブロック図である。
【図８】表示制御装置の第４実施形態が含まれる表示装置の構成と、ＯＳＤ部の構成とを示すブロック図である。
【図９】表示制御装置の第５実施形態が含まれる表示装置の構成を示すブロック図である。
【図１０】表示制御装置の第６実施形態が含まれる表示装置の構成と、ＯＳＤ部の構成とを示すブロック図である。
【図１１】第６実施形態において、図２（ａ）〜（ｄ）のフレーム画像が表示されているときの駆動周波数を概略的に示すタイミングチャートである。
【発明を実施するための形態】
【００１１】
（第１実施形態）
図１は、表示制御装置の第１実施形態が含まれる表示装置の構成と、オンスクリーン表示部（ＯＳＤ部）の構成とを示すブロック図である。図１に示される表示装置１は、表示制御装置の第１実施形態である変換処理部２と、駆動処理部３と、液晶パネル（表示部）４とを備える。また、図１に示されるＯＳＤ部５は、オンスクリーン表示（ＯＳＤ）画像生成部２１と、オンスクリーン表示（ＯＳＤ）合成部２２とを備える。
【００１２】
液晶パネル４は、図示を省略しているが、水平方向に延びる複数のゲート線、垂直方向に延びる複数のソース線、複数のスイッチング素子及び複数の画素を備え、複数のソース線及び複数のゲート線の交点にマトリクス状にスイッチング素子及び画素が配置され、水平方向の１ラインの画素から１走査ラインが構成される。
【００１３】
複数のソース線には駆動処理部３から各画素に対応する駆動信号が供給され、複数のゲート線には駆動処理部３から走査信号となるゲートパルスが供給され、各画素に対応する液晶層に信号電圧が与えられることにより、各画素の透過率が制御される。これによって、液晶パネル４に入力画像信号に基づく入力画像が表示される。液晶パネル４としては、ＩＰＳ（Ｉｎ  Ｐｌａｎｅ  Ｓｗｉｔｃｈｉｎｇ）方式、ＶＡ（Ｖｅｒｔｉｃａｌ  Ａｌｉｇｎｍｅｎｔ）方式、その他のいずれの方式を適用してもよい。
【００１４】
ＯＳＤ画像生成部２１は、液晶パネル４にオンスクリーン表示するオンスクリーン表示（ＯＳＤ）画像２４（図２（ｃ））を所定のフレームレート（この実施形態では６０Ｈｚ）で生成する。ＯＳＤ画像２４は、例えばメニュー画像である。ＯＳＤ合成部２２は、ＯＳＤ画像生成部２１により生成されたＯＳＤ画像２４を、外部からの入力画像信号に合成する。画像信号は、フレームごとに生成されるフレーム画像を表す。画像信号は、本実施形態では、６０Ｈｚのフレームレートで入力される。
【００１５】
ＯＳＤ合成部２２は、ＯＳＤ画像２４の液晶パネル４における表示領域を示すＹＳ信号を生成する。ＹＳ信号は、例えば、液晶パネル４の各画素のうち、ＯＳＤ画像２４を表示する画素を「１」とし、ＯＳＤ画像２４を表示しない画素を「０」として、ＯＳＤ画像２４を表示するか否かを、液晶パネル４の画素ごとに示す信号である。ＯＳＤ合成部２２は、合成した入力画像信号及びＯＳＤ画像信号と、生成したＹＳ信号とを表示装置１の変換処理部２に出力する。
【００１６】
変換処理部２は、フレームレート決定部１０及びフレームレート変換部１５を含む。フレームレート決定部１０は、オンスクリーン表示（ＯＳＤ）画像判定部１１、入力フレームレート判定部１２、静止画判定部１３、駆動周波数決定部１４を含む。
【００１７】
ＯＳＤ画像判定部１１は、ＯＳＤ合成部２２から入力されるＹＳ信号に基づき、ＯＳＤ画像２４が動く画像であるか否かを判定する。ＯＳＤ画像判定部１１は、例えば異なるフレーム間でＹＳ信号を比較して、ＹＳ信号の「１」を示す画素が移動していれば、ＯＳＤ画像２４が動く画像であると判定する。ＯＳＤ画像判定部１１は、さらに、ＯＳＤ合成部２２から出力されるＹＳ信号に基づき、ＯＳＤ画像２４のフレームレートを判定する。ＯＳＤ画像判定部１１は、例えば、ＹＳ信号が２フレームごとに変化していれば、ＯＳＤ画像２４のフレームレートが、入力画像信号のフレームレート（この実施形態では６０Ｈｚ）の１／２（つまり３０Ｈｚ）と判定する。ＯＳＤ画像判定部１１は、それぞれの判定結果を示す信号を、駆動周波数決定部１４に出力する。なお、ＯＳＤ画像判定部１１は、ＹＳ信号が全て「０」のときは、入力画像信号にＯＳＤ画像が合成されていないと判定して、その旨の信号を駆動周波数決定部１４に出力する。
【００１８】
入力フレームレート判定部１２は、入力画像信号のフレームレートを判定する。入力フレームレート判定部１２は、フレームレートの判定結果を示す信号を駆動周波数決定部１４に出力する。この実施形態では、入力フレームレート判定部１２は、入力画像信号のフレームレートを６０Ｈｚと判定し、６０Ｈｚであることを表す信号を駆動周波数決定部１４に出力する。
【００１９】
静止画判定部１３は、入力画像信号に基づき、入力画像信号が静止画を表すか否かを判定する。静止画判定部１３は、例えば、異なるフレーム間で入力画像信号を画素ごとに比較して、入力画像信号が静止画を表すか動画を表すかを判定する。静止画判定部１３は、判定結果を示す信号を駆動周波数決定部１４に出力する。
【００２０】
駆動周波数決定部１４は、ＯＳＤ画像判定部１１、入力フレームレート判定部１２、静止画判定部１３から、それぞれ出力される信号に基づき、フレーム画像を液晶パネル４に表示する際のフレームレートを決定フレームレートとして決定する。駆動周波数決定部１４は、決定フレームレートを示す信号をフレームレート変換部１５に出力する。
【００２１】
駆動周波数決定部１４は、まず、入力フレームレート判定部１２から出力される信号が示すフレームレートを決定フレームレートとして決定する。駆動周波数決定部１４は、例えば入力画像信号のフレームレートが６０Ｈｚであれば６０Ｈｚを決定フレームレートとして決定し、入力画像信号のフレームレートが１５Ｈｚであれば１５Ｈｚを決定フレームレートとして決定する。本実施形態では、上述のように、入力画像信号のフレームレートは６０Ｈｚとしている。
【００２２】
駆動周波数決定部１４は、静止画判定部１３から、入力画像信号が動画を表すことを示す信号が出力されると、入力画像信号のフレームレート（この実施形態では６０Ｈｚ）を決定フレームレートとして決定する。駆動周波数決定部１４は、静止画判定部１３から、入力画像信号が静止画を表すことを示す信号が出力されると、消費電力を低減するために、低下させたフレームレートを決定フレームレートとして決定する。この実施形態では、駆動周波数決定部１４は、フレームレートを３０Ｈｚに決定する。ここで、駆動周波数決定部１４は、入力画像信号により表される画像が、動画と静止画との間で切り替わったときは、複数フレームをかけて徐々に変化するように、フレームレートを決定する。
【００２３】
駆動周波数決定部１４は、例えば入力画像信号が静止画を表すため、フレームレートを３０Ｈｚに決定しているときに、ＯＳＤ画像判定部１１から、オンスクリーン表示されるＯＳＤ画像のフレームレートが６０Ｈｚであって、かつ、動く画像であることを示す信号が出力されると、３０Ｈｚのフレームレートを上昇させて６０Ｈｚを決定フレームレートとして決定する。このとき、駆動周波数決定部１４は、液晶パネル４に現在表示されているフレーム画像の次のフレーム画像から６０Ｈｚのフレームレートで表示されるように、決定フレームレートを瞬時に切り替える。
【００２４】
フレームレート変換部１５は、現行フレームレートを、駆動周波数決定部１４により決定された決定フレームレートに変換する。フレームレート変換部１５は、変換したフレームレートが、入力画像信号のフレームレート（この実施形態では６０Ｈｚ）と異なる場合は、変換したフレームレートに応じて、フレーム画像を補間して補間フレーム画像を生成する。フレームレート変換部１５は、生成した補間フレーム画像を含むフレーム画像を表す信号を駆動処理部３に出力する。駆動処理部３は、フレームレート変換部１５から出力される信号に基づき、液晶パネル４の各画素を駆動する駆動信号を生成する。駆動処理部３は、生成した駆動信号を液晶パネル４に出力する。本実施形態において、フレームレート決定部１０が決定部の一例に相当し、フレームレート変換部１５が変換部の一例に相当し、ＹＳ信号がＯＳＤ信号の一例に相当する。
【００２５】
図２（ａ）〜（ｄ）は、液晶パネル４に表示されるフレーム画像の一例を概略的に示す図である。図２（ａ）は、入力画像信号に基づく入力画像として動画３１が表示されている液晶パネル４を示す。図２（ｂ）は、入力画像信号に基づく入力画像として静止画３２が表示されている液晶パネル４を示す。図２（ｃ）は、図２（ｂ）の静止画３２に、６０Ｈｚの動くＯＳＤ画像２４がオンスクリーン表示されている液晶パネル４を示す。図２（ｄ）は、動画３１が表示されている液晶パネル４を示す。図３は、図２（ａ）〜（ｄ）のフレーム画像が表示されているときの駆動周波数（フレームレート）を概略的に示すタイミングチャートである。図３では、液晶パネル４に表示されるフレーム画像に応じて、順番に、期間Ｔ１〜Ｔ４に区分されている。図１〜図３を用いて、図１に示される変換処理部２の動作が説明される。
【００２６】
図３において、最初の期間Ｔ１では、図２（ａ）に示される動画３１が液晶パネル４に表示される。このとき、駆動周波数決定部１４は、６０Ｈｚを決定フレームレートとして決定する。この実施形態では、入力画像信号のフレームレートが６０Ｈｚであるため、フレームレート変換部１５は、入力画像信号に基づく入力画像を表す信号を生成して、駆動処理部３に出力する。そして、期間Ｔ１では、図３に示されるように、フレームレートは６０Ｈｚに維持される。
【００２７】
期間Ｔ１に続く期間Ｔ２では、図２（ｂ）に示される静止画３２が液晶パネル４に表示される。このとき、駆動周波数決定部１４は、消費電力を低減するために、３０Ｈｚを決定フレームレートとして決定する。ここで、駆動周波数決定部１４は、表示画像にフリッカが生じるのを避けるために、図３に示されるように、フレームレートが６０Ｈｚから３０Ｈｚまで複数フレームに亘って徐々に低下するように、フレームレートを決定する。フレームレート変換部１５は、駆動周波数決定部１４により徐々に低下するように決定されたフレームレートに応じて、入力画像信号を間引いて補間した補間フレーム画像を表す信号を生成して、駆動処理部３に出力する。したがって、期間Ｔ２では、図３に示されるように、フレームレートは６０Ｈｚから徐々に低下し、３０Ｈｚまで低下すると、３０Ｈｚに維持される。
【００２８】
期間Ｔ２に続く期間Ｔ３では、図２（ｃ）に示されるように、液晶パネル４に、図２（ｂ）の静止画３２に加えて、フレームレートが６０Ｈｚの動くＯＳＤ画像２４がオンスクリーン表示される。このとき、駆動周波数決定部１４は、６０Ｈｚを決定フレームレートとして決定する。ここで、駆動周波数決定部１４は、フレームレートを徐々に上昇させることなく、瞬時に上昇させる。つまり、図３に示されるように、駆動周波数決定部１４は、期間Ｔ２の最後のフレームＦの次の、期間Ｔ３の最初のフレームＦにおいて、フレームレートを６０Ｈｚに決定する。この実施形態では、入力画像信号のフレームレートが６０Ｈｚであるため、フレームレート変換部１５は、入力画像信号に基づく入力画像及びＯＳＤ画像２４を含むフレーム画像を表す信号を生成して、駆動処理部３に出力する。そして、期間Ｔ３では、図３に示されるように、フレームレートは６０Ｈｚに維持される。
【００２９】
期間Ｔ３に続く期間Ｔ４では、図２（ｄ）に示される動画３１が液晶パネル４に表示される。このとき、駆動周波数決定部１４は、６０Ｈｚを決定フレームレートとして決定する。そして、期間Ｔ１と同様に、フレームレート変換部１５は、入力画像信号に基づく入力画像を表す信号を生成して、駆動処理部３に出力する。そして、期間Ｔ４では、図３に示されるように、フレームレートは６０Ｈｚに維持される。
【００３０】
図４（ａ）〜（ｅ）は、本実施形態において、静止画３３が表示されている液晶パネル４に、ＯＳＤ画像２４がスライドして徐々にオンスクリーン表示される状態を順番に示す概略図である。図５（ａ）〜（ｃ）は、フレームレートが徐々に上昇する比較例において、静止画３３が表示されている液晶パネル４に、ＯＳＤ画像２４がスライドして徐々にオンスクリーン表示される状態を順番に示す概略図である。図４及び図５を用いて、本実施形態の効果が説明される。
【００３１】
図４（ａ）は、静止画３３が表示されている液晶パネル４を示す。このとき、上述のように、フレームレートは３０Ｈｚにされている。この状態で、図４（ｂ）に示されるように、ＯＳＤ画像２４がスライドしてオンスクリーン表示されると、上述のように、フレームレートは、瞬時に（つまり次のフレーム画像から）６０Ｈｚにされる。その結果、図４（ｂ）〜（ｅ）に示されるように、ＯＳＤ画像２４は、滑らかにスライドしてオンスクリーン表示される。
【００３２】
一方、図５（ａ）は、図４（ａ）と同様に、静止画３３が表示されている液晶パネル４を示す。このとき、上述のように、フレームレートは３０Ｈｚにされている。この状態で、図５（ｂ）に示されるように、ＯＳＤ画像２４がスライドしてオンスクリーン表示されると、比較例では、フレームレートが徐々に上昇する。このため、図５（ｂ）、（ｃ）に示されるように、途中のフレーム画像が抜け落ちる。つまり、図５（ａ）と図５（ｂ）との間には、図４（ｂ）に相当するフレーム画像がない。また、図５（ｂ）と図５（ｃ）との間には、図４（ｄ）に相当するフレーム画像がない。その結果、ＯＳＤ画像２４は、滑らかにスライドせずに、飛び飛びに動く画像となって、液晶パネル４にオンスクリーン表示される。
【００３３】
以上のように、第１実施形態では、例えば液晶パネル４に静止画が表示されて、フレームレートが３０Ｈｚに低下している場合に、６０Ｈｚの動くＯＳＤ画像がオンスクリーン表示されると、フレームレートが瞬時に６０Ｈｚに上昇して、次のフレーム画像から６０Ｈｚのフレームレートで表示される。したがって、第１実施形態によれば、滑らかに動くＯＳＤ画像をオンスクリーン表示することができる。その結果、ＯＳＤ画像生成部２１を作成した作成者の意図通りのＯＳＤ画像を液晶パネル４に表示することができる。
【００３４】
（第２実施形態）
図６は、表示制御装置の第２実施形態が含まれる表示装置の構成と、ＯＳＤ部の構成とを示すブロック図である。図６では、図１と同様の要素に対して、同様の符号が割り当てられている。図６に示される表示装置１ａは、図１に示される表示装置１において、変換処理部２に代えて、表示制御装置の第２実施形態である変換処理部２ａを備えている。以下、第１実施形態との相違点を中心に第２実施形態が説明される。
【００３５】
図６に示されるように、変換処理部２ａは、図１に示される変換処理部２が備えるフレームレート決定部１０及びフレームレート変換部１５に加えて、高精細度マルチメディアインターフェース（ＨＤＭＩ）取得部１６を含む。また、図６に示されるＯＳＤ部５ａは、図１に示されるＯＳＤ部５が備えるＯＳＤ画像生成部２１及びＯＳＤ合成部２２に加えて、ＨＤＭＩ出力部２３を備える。第２実施形態では、ＯＳＤ部５ａと変換処理部２ａとは、デジタルインターフェースの一種であるＨＤＭＩ（登録商標）により接続されている。
【００３６】
ＯＳＤ部５ａのＨＤＭＩ出力部２３は、ＨＤＭＩ規格にしたがって、入力画像信号とＯＳＤ画像信号とが合成された画像信号と、ＹＳ信号とを含むＨＤＭＩ信号を変換処理部２ａに出力する。変換処理部２ａのＨＤＭＩ取得部１６は、ＨＤＭＩ出力部２３から出力されるＨＤＭＩ信号を取得して、入力画像信号とＯＳＤ画像信号とが合成された画像信号と、ＹＳ信号とを区別して出力する。その他の構成は、図１に示される第１実施形態と同様である。本実施形態において、フレームレート決定部１０が決定部の一例に相当し、フレームレート変換部１５が変換部の一例に相当する。この第２実施形態でも、上記第１実施形態と同様に動作し、同様の効果を得ることができる。
【００３７】
（第３実施形態）
図７は、表示制御装置の第３実施形態が含まれる表示装置の構成と、ＯＳＤ部の構成とを示すブロック図である。図７では、図１と同様の要素に対して、同様の符号が割り当てられている。図７に示される表示装置１ｂは、図１に示される表示装置１において、変換処理部２に代えて、表示制御装置の第３実施形態である変換処理部２ｂを備え、さらにカメラ６を備える。以下、第１実施形態との相違点を中心に第３実施形態が説明される。
【００３８】
図７に示されるように、変換処理部２ｂは、図１に示される変換処理部２が備えるフレームレート決定部１０に代えて、フレームレート決定部１０ａを含む。フレームレート決定部１０ａは、図１に示されるフレームレート決定部１０において、駆動周波数決定部１４に代えて駆動周波数決定部１４ａを含み、さらに、撮影情報判定部１７を含む。
【００３９】
カメラ６は、液晶パネル４の前方を撮影して、液晶パネル４に表示される画像を見ている視聴者の顔を検出する。カメラ６は、撮影によって得られた顔検出情報を変換処理部２ｂの撮影情報判定部１７に出力する。撮影情報判定部１７は、カメラ６から出力される顔検出情報に基づき、液晶パネル４に表示される画像を見ることが視聴者の主要な活動か否かを判定する。撮影情報判定部１７は、例えば、視聴者が連続して１０秒間、液晶パネル４を注視していない場合に、液晶パネル４に表示される画像を見ることが視聴者の主要な活動ではないと判定する。また、撮影情報判定部１７は、例えば、視聴者の液晶パネル４からの距離が５ｍを超えている場合に、液晶パネル４に表示される画像を見ることが視聴者の主要な活動ではないと判定する。撮影情報判定部１７は、判定結果を駆動周波数決定部１４ａに出力する。
【００４０】
駆動周波数決定部１４ａは、図１に示される駆動周波数決定部１４の機能に加えて、撮影情報判定部１７から出力される判定結果に基づき、フレームレートを決定する。すなわち、駆動周波数決定部１４ａは、液晶パネル４に表示される画像を見ることが視聴者の主要な活動ではないと、撮影情報判定部１７により判定されると、他の情報にかかわりなく、フレームレートを上昇させずに現行フレームレートを維持すると決定する。例えば、液晶パネル４に静止画が表示され、フレームレートが３０Ｈｚにされている状態で、ＯＳＤ画像判定部１１から、フレームレートが６０Ｈｚで動くＯＳＤ画像が液晶パネル４にオンスクリーン表示されることを示す信号が出力されても、駆動周波数決定部１４ａは、フレームレートを６０Ｈｚに上昇させずに、３０Ｈｚに維持する。本実施形態において、フレームレート決定部１０ａが決定部の一例に相当し、フレームレート変換部１５が変換部の一例に相当し、カメラ６が撮影部の一例に相当する。
【００４１】
以上のように、第３実施形態では、液晶パネル４の表示画像を見ることが視聴者の主要な活動ではないと判定されると、フレームレートが３０Ｈｚに低下している状態で、フレームレートが６０Ｈｚで動くＯＳＤ画像がオンスクリーン表示されても、フレームレートを６０Ｈｚに上昇させずに、３０Ｈｚが維持される。つまり、第３実施形態では、動くＯＳＤ画像が、飛び飛びに動いて液晶パネル４に表示されるのを許容する。その結果、第３実施形態では、消費電力の低減を優先した表示装置１ｂを実現することができる。
【００４２】
（第４実施形態）
図８は、表示制御装置の第４実施形態が含まれる表示装置の構成と、ＯＳＤ部の構成とを示すブロック図である。図８では、図１と同様の要素に対して、同様の符号が割り当てられている。図８に示される表示装置１ｃは、図１に示される表示装置１において、変換処理部２に代えて、表示制御装置の第４実施形態である変換処理部２ｃを備え、さらに電池７を備える。以下、第１実施形態との相違点を中心に第４実施形態が説明される。
【００４３】
図８に示されるように、変換処理部２ｃは、図１に示される変換処理部２が備えるフレームレート決定部１０に代えて、フレームレート決定部１０ｂを含む。フレームレート決定部１０ｂは、図１に示されるフレームレート決定部１０において、駆動周波数決定部１４に代えて駆動周波数決定部１４ｂを含み、さらに、残量判定部１８を含む。
【００４４】
電池７は、変換処理部２ｃを含む表示装置１ｃの各部に電力を供給する。電池７は、電池７の残量に関する情報を表す信号を変換処理部２ｃの残量判定部１８に出力する。残量判定部１８は、電池７から出力される電池７の残量に関する情報を表す信号に基づき、電池７の残量が十分か否かを判定する。すなわち、残量判定部１８は、例えば電池７の残量が１０％以下となった場合に、電池７の残量が不十分と判定する。また、残量判定部１８は、例えば現在の残量低下度合が続くと電池７の残量が残り１時間でゼロになると予測される場合に、電池７の残量が不十分と判定する。残量判定部１８は、判定結果を駆動周波数決定部１４ｂに出力する。
【００４５】
駆動周波数決定部１４ｂは、図１に示される駆動周波数決定部１４の機能に加えて、残量判定部１８から出力される判定結果に基づき、フレームレートを決定フレームレートとして決定する。すなわち、駆動周波数決定部１４ｂは、電池７の残量が不十分であると残量判定部１８により判定されると、フレームレートを上昇させずに現行フレームレートを決定フレームレートとして決定する。例えば、液晶パネル４に静止画が表示され、フレームレートが３０Ｈｚにされている状態で、ＯＳＤ画像判定部１１から、フレームレートが６０Ｈｚで動くＯＳＤ画像が液晶パネル４にオンスクリーン表示されることを示す信号が出力されても、電池７の残量が不十分であると残量判定部１８により判定されると、駆動周波数決定部１４ｂは、フレームレートを６０Ｈｚに上昇させずに、３０Ｈｚを決定フレームレートとして決定する。本実施形態において、フレームレート決定部１０ｂが決定部の一例に相当し、フレームレート変換部１５が変換部の一例に相当する。
【００４６】
以上のように、第４実施形態では、電池７の残量が不十分であると判定されると、フレームレートが３０Ｈｚに低下している状態で、フレームレートが６０Ｈｚで動くＯＳＤ画像がオンスクリーン表示されても、フレームレートを６０Ｈｚに上昇させずに、３０Ｈｚが維持される。つまり、第４実施形態では、動くＯＳＤ画像が、飛び飛びに動いて液晶パネル４に表示されるのを許容する。その結果、第４実施形態では、消費電力の低減を優先した表示装置１ｃを実現することができる。
【００４７】
（第５実施形態）
図９は、表示制御装置の第５実施形態が含まれる表示装置の構成を示すブロック図である。図９では、図１と同様の要素に対して、同様の符号が割り当てられている。図９に示される表示装置１ｄは、図１に示される表示装置１において、変換処理部２に代えて、表示制御装置の第５実施形態である変換処理部２ｄを備え、さらに、ＯＳＤ部５ｂを新たに備える。以下、第１実施形態との相違点を中心に第５実施形態が説明される。
【００４８】
第１〜第４実施形態では、変換処理部２，２ａ〜２ｃの前段で、ＯＳＤ画像信号が入力画像信号に合成されていた。これに対して、第５実施形態では、図９に示されるように、表示装置１ｄがＯＳＤ部５ｂを備え、変換処理部２ｄの後段で、ＯＳＤ画像信号が入力画像信号に合成される。
【００４９】
図９に示されるように、変換処理部２ｄは、図１に示される変換処理部２が備えるフレームレート決定部１０に代えて、フレームレート決定部１０ｃを含む。フレームレート決定部１０ｃは、図１に示されるフレームレート決定部１０において、駆動周波数決定部１４に代えて駆動周波数決定部１４ｃを含み、ＯＳＤ画像判定部を含まない。
【００５０】
ＯＳＤ部５ｂは、ＯＳＤ画像生成部２１とＯＳＤ合成部２２ａとを備える。ＯＳＤ合成部２２ａは、ＯＳＤ画像生成部２１により生成されたＯＳＤ画像を、変換処理部２ｄのフレームレート変換部１５から出力された画像信号に合成する。ＯＳＤ合成部２２ａは、ＯＳＤ画像生成部２１により生成されたＯＳＤ画像の、フレームレート及び動きの有無を示すＯＳＤ信号を変換処理部２ｄの駆動周波数決定部１４ｃに出力する。
【００５１】
駆動周波数決定部１４ｃは、入力フレームレート判定部１２、静止画判定部１３、ＯＳＤ合成部２２ａから、それぞれ出力される信号に基づき、フレーム画像を液晶パネル４に表示する際のフレームレートを決定フレームレートとして決定する。駆動周波数決定部１４ｃは、入力フレームレート判定部１２から出力される信号が示すフレームレートを決定フレームレートとして決定する。駆動周波数決定部１４ｃは、例えば入力画像信号のフレームレートが６０Ｈｚであれば６０Ｈｚを決定フレームレートとして決定し、入力画像信号のフレームレートが１５Ｈｚであれば１５Ｈｚを決定フレームレートとして決定する。第５実施形態では、第１実施形態と同様に、入力画像信号のフレームレートは６０Ｈｚとしている。
【００５２】
駆動周波数決定部１４ｃは、静止画判定部１３から、入力画像信号が動画を表すことを示す信号が出力されると、入力画像信号のフレームレート（この実施形態では６０Ｈｚ）を決定フレームレートとして決定する。駆動周波数決定部１４ｃは、静止画判定部１３から、入力画像信号が静止画を表すことを示す信号が出力されると、消費電力を低減するために、低下させたフレームレートを決定フレームレートとして決定する。この実施形態では、駆動周波数決定部１４ｃは、低下したフレームレートとして、例えば３０Ｈｚを決定フレームレートとして決定する。駆動周波数決定部１４ｃは、入力画像信号により表される画像が、動画と静止画との間で切り替わったときは、フレームレートが複数フレームをかけて徐々に変化するように、フレームレートを決定する。
【００５３】
駆動周波数決定部１４ｃは、ＯＳＤ合成部２２ａから、オンスクリーン表示されるＯＳＤ画像のフレームレートが６０Ｈｚであって、かつ、動く画像であることを示すＯＳＤ信号が出力されたときに、現行フレームレートが、ＯＳＤ画像のフレームレートより低いときは、現行フレームレート（例えば３０Ｈｚ）を上昇させて、ＯＳＤ画像のフレームレート（この実施形態では６０Ｈｚ）を決定フレームレートとして決定する。このとき、駆動周波数決定部１４ｃは、次のフレーム画像から６０Ｈｚのフレームレートで表示されるように、決定フレームレートを瞬時に切り替える。駆動周波数決定部１４ｃは、決定フレームレートを示す信号をフレームレート変換部１５に出力する。本実施形態において、フレームレート決定部１０ｃが決定部の一例に相当し、フレームレート変換部１５が変換部の一例に相当する。
【００５４】
以上のように、第５実施形態では、ＯＳＤ合成部２２ａから出力されるＯＳＤ信号が、オンスクリーン表示されるＯＳＤ画像のフレームレートが現行フレームレートより高く、かつ、ＯＳＤ画像が動く画像であることを示すときは、駆動周波数決定部１４ｃは、現行フレームレートを上昇させて、ＯＳＤ画像のフレームレートを決定フレームレートとして決定し、決定フレームレートを瞬時に切り替える。したがって、入力画像信号により表される画像にＯＳＤ画像がオンスクリーン表示された画像が、次のフレーム画像からＯＳＤ画像のフレームレートで、液晶パネル４に表示される。その結果、第５実施形態でも、液晶パネル４に、滑らかに動くＯＳＤ画像をオンスクリーン表示することができる。
【００５５】
（第６実施形態）
上記第１実施形態の変換処理部２では、現行フレームレートが３０Ｈｚであるときに、６０Ｈｚのフレームレートで生成された動くＯＳＤ画像が合成されると、駆動周波数決定部１４は、フレームレートを上昇させて、ＯＳＤ画像のフレームレートである６０Ｈｚを決定フレームレートとして決定している。しかし、変換処理部は、これに限られず、ＯＳＤ画像のフレームレートより高いフレームレートに上昇させてもよい。
【００５６】
図１０は、表示制御装置の第６実施形態が含まれる表示装置の構成と、ＯＳＤ部の構成とを示すブロック図である。図１０では、図１と同様の要素に対して、同様の符号が割り当てられている。図１０に示される表示装置１ｅは、図１に示される表示装置１において、変換処理部２に代えて、表示制御装置の第６実施形態である変換処理部２ｅを備える。以下、第１実施形態との相違点を中心に第６実施形態が説明される。
【００５７】
図１０に示されるＯＳＤ部５ｃは、ＯＳＤ画像生成部２１とＯＳＤ合成部２２ｂとを備える。ＯＳＤ合成部２２ｂは、ＹＳ信号と、ＯＳＤ画像生成部２１により生成されたＯＳＤ画像のフレームレートに関する情報を表す信号と、を含むＯＳＤ信号を生成する。ＯＳＤ合成部２２ｂは、生成したＯＳＤ信号を変換処理部２ｅに出力する。
【００５８】
駆動周波数決定部１４ｄは、この実施形態では、静止画判定部１３から動画である旨の信号が入力されると、２４０Ｈｚを決定フレームレートとして決定する。これによって、動画の表示品位を高めている。駆動周波数決定部１４ｄは、静止画判定部１３から静止画である旨の信号が入力されると、３０Ｈｚを決定フレームレートとして決定する。これによって、消費電力を低減している。駆動周波数決定部１４ｄは、２４０Ｈｚと３０Ｈｚとの間でフレームレートを切り替えるときは、第１実施形態と同様に、複数フレームに亘って徐々にフレームレートを切り替える。これによって、液晶パネル４の表示画像にフリッカが生じるのを防止している。
【００５９】
駆動周波数決定部１４ｄは、ＯＳＤ合成部２２ｂから出力されるＯＳＤ信号が、現行フレームレートよりＯＳＤ画像のフレームレートの方が高いことを表す場合に、ＯＳＤ画像のフレームレートの２倍のフレームレートを決定フレームレートとして決定する。なお、この第６実施形態でも、入力画像信号のフレームレートは６０Ｈｚとする。本実施形態において、フレームレート決定部１０ｄが決定部の一例に相当し、フレームレート変換部１５が変換部の一例に相当する。
【００６０】
図１１は、第６実施形態において、図２（ａ）〜（ｄ）のフレーム画像が表示されているときの駆動周波数（フレームレート）を概略的に示すタイミングチャートである。図１１では、液晶パネル４に表示されるフレーム画像に応じて、順番に、期間Ｔ１１〜Ｔ１４に区分されている。図２、図１０、図１１を用いて、図１０に示される変換処理部２ｅの動作が説明される。
【００６１】
図１１において、最初の期間Ｔ１１では、図２（ａ）に示される動画が液晶パネル４に表示される。このとき、駆動周波数決定部１４ｄは、２４０Ｈｚを決定フレームレートとして決定する。この実施形態では、入力画像信号のフレームレートが６０Ｈｚであるため、フレームレート変換部１５は、入力画像信号に基づくフレーム画像を補間した補間フレーム画像を表す信号を生成して、駆動処理部３に出力する。そして、期間Ｔ１１では、図１１に示されるように、フレームレートは２４０Ｈｚに維持される。これによって、図３の場合に比べて動画の表示品位を向上している。
【００６２】
期間Ｔ１１に続く期間Ｔ１２では、図２（ｂ）に示される静止画が液晶パネル４に表示される。このとき、駆動周波数決定部１４ｄは、消費電力を低減するために、３０Ｈｚを決定フレームレートとして決定する。ここで、駆動周波数決定部１４ｄは、表示画像にフリッカが生じるのを避けるために、図１１に示されるように、フレームレートが２４０Ｈｚから３０Ｈｚまで複数フレームに亘って徐々に低下するように、フレームレートを決定する。フレームレート変換部１５は、駆動周波数決定部１４ｄにより徐々に低下するように決定された決定フレームレートに応じて、入力画像信号を補間した補間フレーム画像を表す信号を生成して、駆動処理部３に出力する。したがって、期間Ｔ１２では、図１１に示されるように、フレームレートは２４０Ｈｚから徐々に低下し、３０Ｈｚまで低下すると、３０Ｈｚに維持される。
【００６３】
期間Ｔ１２に続く期間Ｔ１３では、図２（ｃ）に示される、静止画に、動くＯＳＤ画像２４がオンスクリーン表示された画像が液晶パネル４に表示される。このとき、駆動周波数決定部１４ｄは、ＯＳＤ合成部２２ｂから、ＯＳＤ画像のフレームレートが６０Ｈｚである旨を示すＯＳＤ信号が出力されると、ＯＳＤ画像のフレームレートの２倍の１２０Ｈｚを決定フレームレートとして決定する。ここで、駆動周波数決定部１４ｄは、決定フレームレートを徐々に上昇させることなく、瞬時に切り替える。つまり、駆動周波数決定部１４ｄは、期間Ｔ１２の最後のフレームＦの次の、期間Ｔ１３の最初のフレームＦにおいて、１２０Ｈｚを決定フレームレートとして決定する。この第６実施形態では、入力画像信号のフレームレート及びＯＳＤ画像のフレームレートが、両方とも６０Ｈｚであるため、フレームレート変換部１５は、入力画像信号及びＯＳＤ画像信号を補間した補間フレーム画像を生成し、生成した補間フレーム画像を含むフレーム画像を表す信号を生成して、駆動処理部３に出力する。そして、期間Ｔ１３では、図１１に示されるように、フレームレートは１２０Ｈｚに維持される。
【００６４】
期間Ｔ１３に続く期間Ｔ１４では、図２（ｄ）に示される動画が液晶パネル４に表示される。このとき、駆動周波数決定部１４ｄは、２４０Ｈｚを決定フレームレートとして決定する。ここで、駆動周波数決定部１４ｄは、表示画像にフリッカが生じるのを避けるために、図１１に示されるように、フレームレートが１２０Ｈｚから２４０Ｈｚまで複数フレームに亘って徐々に上昇するように、決定フレームレートを徐々に切り替える。フレームレート変換部１５は、駆動周波数決定部１４ｄにより徐々に上昇するように決定された決定フレームレートに応じて、入力画像信号を補間した補間フレーム画像を表す信号を生成して、駆動処理部３に出力する。したがって、期間Ｔ１４では、図１１に示されるように、フレームレートは１２０Ｈｚから徐々に上昇し、２４０Ｈｚまで上昇すると２４０Ｈｚに維持される。
【００６５】
以上のように、第６実施形態では、オンスクリーン表示されるＯＳＤ画像のフレームレートが現行フレームレートより高く、かつ、ＯＳＤ画像が動く画像であることを、ＯＳＤ合成部２２ｂから出力されるＯＳＤ信号が示すときは、駆動周波数決定部１４ｄは、現行フレームレートを瞬時に切り替えて、ＯＳＤ画像のフレームレートの２倍のフレームレートを決定フレームレートとして決定する。したがって、次のフレーム画像から、ＯＳＤ画像のフレームレートの２倍のフレームレートで画像が表示される。その結果、第６実施形態でも、滑らかに動くＯＳＤ画像をオンスクリーン表示することができる。
【００６６】
なお、上記第６実施形態では、駆動周波数決定部１４ｄは、ＯＳＤ画像のフレームレートの２倍のフレームレートを決定フレームレートとして決定している。しかし、変換処理部は、これに限られない。例えば、駆動周波数決定部１４ｄは、ＯＳＤ画像のフレームレートの３倍又は４倍のフレームレートを決定フレームレートとして決定してもよい。すなわち、駆動周波数決定部１４ｄは、ＯＳＤ画像のフレームレートの整数倍を決定フレームレートとして決定すればよい。
【００６７】
（その他）
上記各実施形態において、駆動周波数決定部１４等は、決定フレームレートを瞬時に切り替えて、液晶パネル４に現在表示されているフレーム画像の次のフレーム画像から、決定フレームレートで表示されるようにしている。代替的に、駆動周波数決定部１４等は、決定フレームレートを瞬時に切り替えなくてもよい。駆動周波数決定部１４等は、例えばＫ（Ｋは正の整数）フレーム後のフレーム画像から、決定フレームレートで表示されるように、決定フレームレートをＫフレーム後に切り替えてもよい。ここで、Ｋ＝１の場合が上記各実施形態に相当する。なお、Ｋが例えば１０以下の整数であれば、現行フレームレートから決定フレームレートへの切替えの遅れがユーザに目立たない。したがって、Ｋは１以上かつ１０以下の整数であることが好ましい。
【００６８】
上記各実施形態において、駆動周波数決定部１４等は、オンスクリーン表示されるＯＳＤ画像が動かない画像の場合には、現行フレームレート（例えば３０Ｈｚ）よりＯＳＤ画像のフレームレート（例えば６０Ｈｚ）の方が高くても、現行フレームレートを決定フレームレートとして決定してもよい。ＯＳＤ画像が動かないため、現行フレームレートのままでも、ＯＳＤ画像の表示品位が低下することはない。これによって、ＯＳＤ画像の表示品位が低下することなく、消費電力を低減することができる。
【００６９】
上記各実施形態において、駆動周波数決定部１４等は、オンスクリーン表示されるＯＳＤ画像が動かない画像の場合でも、現行フレームレート（例えば３０Ｈｚ）よりＯＳＤ画像のフレームレート（例えば６０Ｈｚ）の方が高い場合には、フレームレートをＯＳＤ画像のフレームレートに上昇させると決定してもよい。これによって、ＯＳＤ画像のフレームレートで液晶パネル４にＯＳＤ画像を表示することができる。
【００７０】
上記各実施形態において、駆動周波数決定部１４等は、オンスクリーン表示されるＯＳＤ画像のサイズに応じて、決定フレームレートを変更してもよい。例えば、駆動周波数決定部１４等は、ＯＳＤ画像のサイズが所定値（例えば液晶パネル４のサイズの５％）以下の場合には、現行フレームレート（例えば３０Ｈｚ）よりＯＳＤ画像のフレームレート（例えば６０Ｈｚ）の方が高くても、現行フレームレートを決定フレームレートとして決定してもよい。ＯＳＤ画像のサイズが小さい場合には、現行フレームレートのままでも、ＯＳＤ画像の表示品位の低下が目立たない。その結果、消費電力の低減を優先した表示装置を実現することができる。
【００７１】
上記各実施形態において、静止画判定部１３は、入力画像信号が動画を表す場合でも、動き量が少ない場合には、静止画であると判定してもよい。例えば、前後のフレーム間で液晶パネル４の表示画面全体の水平方向の動き量の平均が１０画素以下、かつ、垂直方向の動き量の平均が１０画素以下である状態が６０フレーム期間続いたならば、静止画判定部１３は、静止画と判定してもよい。
【００７２】
上記第１〜第４及び第６実施形態において、ＯＳＤ画像判定部１１は、ＯＳＤ画像の動き量が少ない場合には、ＯＳＤ画像は動かない画像であると判定してもよい。例えば、前後のフレーム間で、ＯＳＤ画像の水平方向の動き量が１０画素未満、かつ、ＯＳＤ画像の垂直方向の動き量が１０画素未満ならば、ＯＳＤ画像判定部１１は、ＯＳＤ画像は動かない画像であると判定してもよい。言い換えると、前後のフレーム間で、ＯＳＤ画像の水平方向の動き量が１０画素以上、または、ＯＳＤ画像の垂直方向の動き量が１０画素以上ならば、ＯＳＤ画像判定部１１は、ＯＳＤ画像は動く画像であると判定してもよい。
【００７３】
また、上記各表示装置１，１ａ〜１ｅは、表示部として液晶パネル４を備えているが、表示部は、これに限られない。上記各表示装置１，１ａ〜１ｅは、例えば、表示部として有機ＥＬパネルを備えてもよい。表示部は、例えば、フレーム画像を表示する際のフレームレートを低下させると消費電力が低下する表示部であればよい。
【００７４】
なお、上述した具体的実施形態には以下の構成を有する発明が主に含まれている。
【００７５】
本発明の一局面に係る表示制御装置は、入力画像信号に基づく入力画像とオンスクリーン表示するためのＯＳＤ画像とを含むフレーム画像を表示する表示部における前記フレーム画像の表示を制御する表示制御装置であって、前記フレーム画像を前記表示部に表示する際のフレームレートを決定フレームレートとして決定する決定部と、前記決定フレームレートが現行フレームレートと異なる場合に、現行フレームレートを前記決定フレームレートに変換する変換部と、を備え、前記決定部は、ＯＳＤ画像に関する情報を取得し、取得した前記ＯＳＤ画像に関する情報に基づき、前記決定フレームレートを現行フレームレートと同じフレームレートとするか現行フレームレートより高いフレームレートとするかを決定し、前記決定フレームレートを現行フレームレートより高いフレームレートとすると決定する場合に、前記表示部に現在表示されているフレーム画像のＫ（Ｋは１以上かつ１０以下の整数）フレーム後のフレーム画像から前記決定フレームレートで前記表示部に表示されるように、フレームレートを前記決定フレームレートに決定する。
【００７６】
この構成によれば、フレーム画像を表示部に表示する際のフレームレートが決定部により決定フレームレートとして決定される。決定フレームレートが現行フレームレートと異なる場合に、変換部によって、現行フレームレートが決定フレームレートに変換される。ＯＳＤ画像に関する情報に基づき、決定フレームレートを現行フレームレートと同じフレームレートとするか現行フレームレートより高いフレームレートとするかが、決定部によって決定される。したがって、決定フレームレートをＯＳＤ画像に適切なフレームレートに決定することができる。決定フレームレートを現行フレームレートより高いフレームレートとすると決定部が決定する場合に、表示部に現在表示されているフレーム画像のＫ（Ｋは１以上かつ１０以下の整数）フレーム後のフレーム画像から決定フレームレートで表示されるように、決定部によって、決定フレームレートが決定される。したがって、ＯＳＤ画像に適切な決定フレームレートで、Ｋフレーム後のフレーム画像からＯＳＤ画像が表示部にオンスクリーン表示される。このため、ＯＳＤ画像の表示品位の低下を抑制することができる。
【００７７】
上記表示制御装置において、前記ＯＳＤ画像に関する情報は、ＯＳＤ画像を表示する際のフレームレートであるＯＳＤフレームレートの情報を含んでもよい。前記決定部は、前記ＯＳＤ画像に関する情報が、ＯＳＤフレームレートは現行フレームレートより高い値である旨の情報を含む場合に、前記決定フレームレートをＯＳＤフレームレートのＮ倍（Ｎは１以上の整数）のフレームレートとすると決定してもよい。
【００７８】
この構成によれば、ＯＳＤ画像に関する情報には、ＯＳＤ画像を表示する際のフレームレートであるＯＳＤフレームレートの情報が含まれる。ＯＳＤ画像に関する情報が、ＯＳＤフレームレートは現行フレームレートより高い値である旨の情報を含む場合に、決定フレームレートをＯＳＤフレームレートのＮ倍のフレームレートとすると、決定部により決定される。したがって、ＯＳＤ画像をＯＳＤフレームレートのＮ倍のフレームレートで表示部に好適にオンスクリーン表示することができる。
【００７９】
上記表示制御装置において、前記決定部は、前記ＯＳＤ画像に関する情報が、ＯＳＤフレームレートは現行フレームレート以下の値である旨の情報を含む場合に、前記決定フレームレートを現行フレームレートと同じフレームレートとすると決定してもよい。
【００８０】
この構成によれば、ＯＳＤ画像に関する情報が、ＯＳＤフレームレートは現行フレームレート以下の値である旨の情報を含む場合に、決定フレームレートを現行フレームレートと同じフレームレートとすると決定部によって決定される。ＯＳＤフレームレートが現行フレームレート以下であるため、ＯＳＤ画像を現行フレームレートで表示部に好適にオンスクリーン表示することができる。
【００８１】
上記表示制御装置において、前記ＯＳＤ画像に関する情報は、さらに、ＯＳＤ画像が動く画像であるか否かを表す情報を含んでもよい。前記決定部は、前記ＯＳＤ画像に関する情報が、ＯＳＤフレームレートは現行フレームレートより高い値である旨の情報を含み、かつ、ＯＳＤ画像は動く画像であることを表す情報を含む場合に、前記決定フレームレートをＯＳＤフレームレートのＮ倍（Ｎは１以上の整数）のフレームレートとすると決定してもよい。
【００８２】
この構成によれば、ＯＳＤ画像に関する情報には、さらに、ＯＳＤ画像が動く画像であるか否かを表す情報が含まれる。ＯＳＤ画像に関する情報が、ＯＳＤフレームレートは現行フレームレートより高い値である旨の情報を含み、かつ、ＯＳＤ画像は動く画像であることを表す情報を含む場合に、決定部によって、決定フレームレートをＯＳＤフレームレートのＮ倍のフレームレートとすると決定される。したがって、Ｋフレーム後のフレーム画像から、動く画像であるＯＳＤ画像をＯＳＤフレームレートのＮ倍のフレームレートで表示部に好適にオンスクリーン表示することができる。
【００８３】
上記表示制御装置において、前記決定部は、前記ＯＳＤ画像に関する情報が、ＯＳＤ画像は動く画像でないことを表す情報を含む場合に、ＯＳＤフレームレートの高低にかかわらず、前記決定フレームレートを現行フレームレートと同じフレームレートとすると決定してもよい。
【００８４】
この構成によれば、ＯＳＤ画像に関する情報が、ＯＳＤ画像は動く画像でないことを表す情報を含む場合に、決定部によって、ＯＳＤフレームレートの高低にかかわらず、決定フレームレートを現行フレームレートと同じフレームレートとすると決定される。ＯＳＤ画像が動く画像でないため、現行フレームレートでも、ＯＳＤ画像を表示部に好適にオンスクリーン表示することができる。
【００８５】
上記表示制御装置において、前記ＯＳＤ画像に関する情報は、前記表示部におけるＯＳＤ画像の表示領域を表すＯＳＤ信号を含んでもよい。前記決定部は、前記ＯＳＤ信号に基づきＯＳＤ画像が動く画像であるか否かを判定するＯＳＤ画像判定部を含んでもよい。前記決定部は、ＯＳＤ画像が動く画像でないと前記ＯＳＤ画像判定部が判定した場合に、前記決定フレームレートを現行フレームレートと同じフレームレートとすると決定してもよい。
【００８６】
この構成によれば、ＯＳＤ画像に関する情報には、表示部におけるＯＳＤ画像の表示領域を表すＯＳＤ信号が含まれる。ＯＳＤ信号に基づきＯＳＤ画像が動く画像であるか否かがＯＳＤ画像判定部によって判定される。ＯＳＤ画像が動く画像でないとＯＳＤ画像判定部が判定した場合に、決定部によって、決定フレームレートを現行フレームレートと同じフレームレートとすると決定される。ＯＳＤ画像が動く画像でないため、ＯＳＤ画像を現行フレームレートで表示部に好適にオンスクリーン表示することができる。
【００８７】
上記表示制御装置において、前記表示部を観察する観察者を撮影する撮影部をさらに備えてもよい。前記決定部は、前記撮影部の撮影結果に基づき、観察者に関する情報を判定する撮影情報判定部を含んでもよい。前記撮影情報判定部は、観察者に関する情報として、観察者が前記表示部を見ていない時間が継続して所定時間以上であるか否か、または、観察者が前記表示部から所定距離以上離れているか否かを判定してもよい。前記決定部は、観察者が前記表示部を見ていない時間が継続して所定時間以上であると前記撮影情報判定部が判定した場合に、または、観察者が前記表示部から所定距離以上離れていると前記撮影情報判定部が判定した場合に、前記ＯＳＤ画像に関する情報にかかわらず、前記決定フレームレートを現行フレームレートと同じフレームレートとすると決定してもよい。
【００８８】
この構成によれば、表示部を観察する観察者を撮影する撮影部の撮影結果に基づき、観察者に関する情報が、撮影情報判定部によって判定される。観察者に関する情報として、観察者が表示部を見ていない時間が継続して所定時間以上であるか否か、または、観察者が表示部から所定距離以上離れているか否かが、撮影情報判定部によって判定される。観察者が表示部を見ていない時間が継続して所定時間以上であると撮影情報判定部によって判定された場合に、または、観察者が表示部から所定距離以上離れていると撮影情報判定部によって判定された場合に、決定部によって、決定フレームレートを現行フレームレートと同じフレームレートとすると決定される。これらの場合には、表示部を見ることが観察者の主要な活動ではないと考えられる。そこで、決定フレームレートを現行フレームレートと同じフレームレートとすると決定しても、オンスクリーン表示されるＯＳＤ画像の表示品位の低下が、観察者に目立つことは殆どない。
【００８９】
上記表示制御装置において、装置の各部に電力を供給する電池をさらに備えてもよい。前記決定部は、前記電池の残量を判定する残量判定部を含んでもよい。前記決定部は、前記電池の残量が所定値以下であると前記残量判定部が判定した場合に、前記ＯＳＤ画像に関する情報にかかわらず、前記決定フレームレートを現行フレームレートと同じフレームレートとすると決定してもよい。
【００９０】
この構成によれば、装置の各部に電力が電池から供給される。電池の残量が残量判定部によって判定される。電池の残量が所定値以下であると残量判定部により判定された場合に、決定部によって、決定フレームレートを現行フレームレートと同じフレームレートとすると決定される。決定フレームレートが現行フレームレートより高いフレームレートとされないため、電池の残量が、より速く低下するのを避けることができる。
【００９１】
本発明の一局面に係る表示制御方法は、入力画像信号に基づく入力画像とオンスクリーン表示するためのＯＳＤ画像とを含むフレーム画像を表示する表示部における前記フレーム画像の表示を制御する表示制御方法であって、前記フレーム画像を前記表示部に表示する際のフレームレートを決定フレームレートとして決定する第１ステップと、前記決定フレームレートが現行フレームレートと異なる場合に、現行フレームレートを前記決定フレームレートに変換する第２ステップと、を備え、前記第１ステップは、ＯＳＤ画像に関する情報を取得する取得ステップと、取得された前記ＯＳＤ画像に関する情報に基づき、前記決定フレームレートを現行フレームレートと同じフレームレートとするか現行フレームレートより高いフレームレートとするかを決定する決定ステップと、を含み、前記第１ステップでは、前記決定ステップにおいて前記決定フレームレートを現行フレームレートより高いフレームレートとすると決定される場合に、前記表示部に現在表示されているフレーム画像のＫ（Ｋは１以上かつ１０以下の整数）フレーム後のフレーム画像から前記決定フレームレートで前記表示部に表示されるように、フレームレートが前記決定フレームレートに決定される。
【００９２】
この構成によれば、第１ステップにおいて、フレーム画像を表示部に表示する際のフレームレートが決定フレームレートとして決定される。第２ステップにおいて、決定フレームレートが現行フレームレートと異なる場合に、現行フレームレートが決定フレームレートに変換される。取得ステップにおいて、ＯＳＤ画像に関する情報が取得される。決定ステップにおいて、取得されたＯＳＤ画像に関する情報に基づき、決定フレームレートを現行フレームレートと同じフレームレートとするか現行フレームレートより高いフレームレートとするかが決定される。決定ステップにおいて決定フレームレートを現行フレームレートより高いフレームレートとすると決定される場合に、第１ステップでは、表示部に現在表示されているフレーム画像のＫ（Ｋは１以上かつ１０以下の整数）フレーム後のフレーム画像から決定フレームレートで表示部に表示されるように、フレームレートが決定フレームレートに決定される。したがって、ＯＳＤ画像に適切な決定フレームレートで、Ｋフレーム後のフレーム画像からＯＳＤ画像が表示部にオンスクリーン表示される。このため、ＯＳＤ画像の表示品位の低下を抑制することができる。
【産業上の利用可能性】
【００９３】
入力画像信号に基づく入力画像とオンスクリーン表示するためのＯＳＤ画像とを含むフレーム画像を表示する表示部におけるフレーム画像の表示を制御する表示制御装置において、オンスクリーン表示される画像の表示品位低下を抑制することを可能にする表示制御装置及び表示制御方法として有用である。
【手続補正３】
【補正対象書類名】図面
【補正対象項目名】全図
【補正方法】変更
【補正の内容】
【図１】
2013175735.tif 000014
【図２】
2013175735.tif 000015
【図３】
2013175735.tif 000016
【図４】
2013175735.tif 000017
【図５】
2013175735.tif 000018
【図６】
2013175735.tif 000019
【図７】
2013175735.tif 000020
【図８】
2013175735.tif 000021
【図９】
2013175735.tif 000022
【図１０】
2013175735.tif 000023
【図１１】
2013175735.tif 000024
【国際調査報告】
2013175735.tif 000025
2013175735.tif 000026
2013175735.tif 000027
2013175735.tif 000028